(57)【要約】【課題】機体の小型化が可能となる紙幣処理機を提供する。【解決手段】入金処理時に入金部２０から繰り出され識別部３１で受け入れ可能と識別された紙幣を金種混合で繰り出し可能に一時貯留する一時貯留部５７と、収納処理時に一時貯留部５７から繰り出された紙幣を識別部３１の識別結果に基づいて収納する複数の収納部４８と、を有し、複数の収納部４８のそれぞれの上方には、底部４３が開閉可能であって紙幣を繰り出し可能に一時貯留する一時貯留領域部４７が設けられており、複数の収納部４８は、それぞれ、上方の底部４３が開かれた状態の一時貯留領域部４７を介して紙幣を受け入れて収納することになり、一時貯留部５７は、底部５３が開閉可能であり、底部５３の下方には、底部５３が開かれた状態の一時貯留部５７を介して紙幣を受け入れて収納する収納領域部５８が設けられている。【選択図】図１
2019220064.tif 000002
【特許請求の範囲】
【請求項１】
入金処理時に機外から紙幣が投入される入金部と、
入金処理時に前記入金部から繰り出され識別部で受け入れ可能と識別された紙幣を金種混合で繰り出し可能に一時貯留する一時貯留部と、
収納処理時に前記一時貯留部から繰り出された紙幣を識別部の識別結果に基づいて収納する複数の収納部と、を有する紙幣処理機であって、
前記複数の収納部のそれぞれの上方には、底部が開閉可能であって紙幣を繰り出し可能に一時貯留する一時貯留領域部が設けられており、
前記複数の収納部は、それぞれ、上方の底部が開かれた状態の前記一時貯留領域部を介して紙幣を受け入れて収納することになり、
前記一時貯留部は、底部が開閉可能であり、
該底部の下方には、該底部が開かれた状態の前記一時貯留部を介して紙幣を受け入れて収納する収納領域部が設けられていることを特徴とする紙幣処理機。
【請求項２】
収納処理時に、
前記一時貯留部から繰り出された紙幣のうち、識別部で前記複数の収納部に収納不可と識別された紙幣を、前記複数の収納部のうちの所定の収納部の上方の底部が閉状態の前記一時貯留領域部に当該所定の収納部に収納すべき紙幣とともに一時貯留し、
前記一時貯留部の紙幣がなくなると、前記一時貯留領域部に一時貯留されている紙幣を前記一時貯留部に戻し、
当該一時貯留部に戻された紙幣のうち、前記所定の収納部に収納すべき紙幣を当該所定の収納部に収納する一方、前記複数の収納部に収納不可と識別された紙幣を前記所定の収納部以外の収納部の上方の底部が閉状態の所定の一時貯留領域部に一時貯留し、
その後、当該所定の一時貯留領域部に一時貯留されている紙幣を、前記一時貯留部の底部を開状態として前記収納領域部に収納することを特徴とする請求項１記載の紙幣処理機。
【請求項３】
前記所定の収納部は、入金処理時の識別部の識別結果から割り出される、収納処理時において収納のため搬送される紙幣量が最も少ない収納部であることを特徴とする請求項２記載の紙幣処理機。
【請求項４】
収納処理時に、前記複数の収納部に収納不可と識別された紙幣を収納する部位が、前記収納領域部以外には設けられていないことを特徴とする請求項２または３記載の紙幣処理機。
【請求項５】
収納処理時に、
前記一時貯留部から繰り出された紙幣のうち、識別部で前記複数の収納部に収納不可と識別された紙幣を、前記複数の収納部のうちの所定の収納部の上方の底部が閉状態の前記一時貯留領域部に当該所定の収納部に収納すべき紙幣とともに一時貯留し、
前記一時貯留領域部に一時貯留されている紙幣を前記一時貯留部に戻し、
再度、前記一時貯留部から繰り出して識別部で識別することを特徴とする請求項１乃至４のいずれか一項記載の紙幣処理機。
【発明の詳細な説明】
【技術分野】
【０００１】
本発明は、紙幣処理機に関する。
【背景技術】
【０００２】
取引口に投入された紙幣を識別部で識別し、正常と識別された紙幣を金種混合で一時貯留部に一時貯留する入金処理を行った後、操作者による入金確定の指示入力が操作部を介してなされると、一時貯留部の紙幣を識別部で識別し複数の収納部に分類して収納する収納処理を行う紙幣処理機がある（例えば、特許文献１参照）。
【先行技術文献】
【特許文献】
【０００３】
【特許文献１】特許第５８６６１７１号公報
【発明の概要】
【発明が解決しようとする課題】
【０００４】
ところで、紙幣処理機には、入金を確定することでその管理下となった紙幣を移動する収納処理等において生じた、金種識別できない金種識別不良の紙幣と、重送、斜行あるいはニアフィード等の搬送異常の紙幣とからなるリジェクト紙幣を、管理下においたまま収納する専用の収納部を有するものがある。このような紙幣処理機において、機体の小型化が求められている。
【０００５】
本発明は、機体の小型化が可能となる紙幣処理機の提供を目的とする。
【課題を解決するための手段】
【０００６】
上記目的を達成するために、本発明に係る第１の態様は、入金処理時に機外から紙幣が投入される入金部と、入金処理時に前記入金部から繰り出され識別部で受け入れ可能と識別された紙幣を金種混合で繰り出し可能に一時貯留する一時貯留部と、収納処理時に前記一時貯留部から繰り出された紙幣を識別部の識別結果に基づいて収納する複数の収納部と、を有する紙幣処理機であって、前記複数の収納部のそれぞれの上方には、底部が開閉可能であって紙幣を繰り出し可能に一時貯留する一時貯留領域部が設けられており、前記複数の収納部は、それぞれ、上方の底部が開かれた状態の前記一時貯留領域部を介して紙幣を受け入れて収納することになり、前記一時貯留部は、底部が開閉可能であり、該底部の下方には、該底部が開かれた状態の前記一時貯留部を介して紙幣を受け入れて収納する収納領域部が設けられていることを特徴とする。
【０００７】
上記第１の態様によれば、入金処理時に入金部に機外から投入された紙幣は、入金部から繰り出され、識別部で識別される。そして、識別部で受け入れ可能と識別された紙幣は金種混合で一時貯留部に一時貯留されることになる。その後の収納処理時には、一時貯留部から繰り出された紙幣を識別部の識別結果に基づいて複数の収納部に収納することになる。このように入金処理時に紙幣を金種混合で繰り出し可能に一時貯留する一時貯留部について、その底部を開閉可能とし、この底部の下方に、この底部が開かれた状態で紙幣を受け入れて収納する収納領域部を設けている。よって、この収納領域部を別途の位置に設ける場合と比べて機体の小型化が可能となる。
【０００８】
本発明に係る第２の態様は、上記第１の態様において、収納処理時に、前記一時貯留部から繰り出された紙幣のうち、識別部で前記複数の収納部に収納不可と識別された紙幣を、前記複数の収納部のうちの所定の収納部の上方の底部が閉状態の前記一時貯留領域部に当該所定の収納部に収納すべき紙幣とともに一時貯留し、前記一時貯留部の紙幣がなくなると、前記一時貯留領域部に一時貯留されている紙幣を前記一時貯留部に戻し、当該一時貯留部に戻された紙幣のうち、前記所定の収納部に収納すべき紙幣を当該所定の収納部に収納する一方、前記複数の収納部に収納不可と識別された紙幣を前記所定の収納部以外の収納部の上方の底部が閉状態の所定の一時貯留領域部に一時貯留し、その後、当該所定の一時貯留領域部に一時貯留されている紙幣を、前記一時貯留部の底部を開状態として前記収納領域部に収納することを特徴とする。
【０００９】
上記第２の態様によれば、収納処理時に、一時貯留部から繰り出された紙幣を識別部の識別結果に基づいて複数の収納部に振り分けることになるが、その際に、一時貯留部から繰り出された紙幣のうち、識別部で複数の収納部に収納不可と識別された紙幣を、複数の収納部のうちの所定の収納部の上方の、底部が閉状態の一時貯留領域部に、当該所定の収納部に収納すべき紙幣とともに一時貯留する。そして、一時貯留部の紙幣がなくなると、一時貯留領域部に一時貯留されている紙幣を一時貯留部に戻し、一時貯留部に戻された紙幣のうち、前記所定の収納部に収納すべき紙幣を前記所定の収納部に収納する一方、複数の収納部に収納不可と識別された紙幣を前記所定の収納部以外の収納部の上方の底部が閉状態の所定の一時貯留領域部に一時貯留する。その後、当該所定の一時貯留領域部に一時貯留されている紙幣を、底部が開状態の一時貯留部の下方の収納領域部に、一時貯留部を介して収納する。このようにして、収納領域部に、収納処理時に一時貯留部から繰り出された紙幣のうち、識別部で複数の収納部に収納不可と識別された紙幣を収納することができる。よって、収納処理時に一時貯留部から繰り出された紙幣のうち、識別部で複数の収納部に収納不可と識別された紙幣を収納する部位を別途の位置に設ける場合と比べて機体の小型化が可能となる。
【００１０】
本発明に係る第３の態様は、上記第２の態様において、前記所定の収納部は、入金処理時の識別部の識別結果から割り出される、収納処理時において収納のため搬送される紙幣量が最も少ない収納部であることを特徴とする。
【００１１】
上記第３の態様によれば、前記所定の収納部が、入金処理時の識別部の識別結果から割り出される、収納処理時において収納のため搬送される紙幣量が最も少ない収納部となるため、収納処理時に、識別部で複数の収納部に収納不可と識別された紙幣を、収納のため搬送される紙幣量が最も少ない収納部の上方の、底部が閉状態の一時貯留領域部に、当該所定の収納部に収納すべき搬送量が最も少ない紙幣とともに一時貯留する。そして、この一時貯留領域部に一時貯留されている紙幣を一時貯留部に戻し、一時貯留部に戻された紙幣のうち、前記所定の収納部に収納すべき搬送量が最も少ない紙幣を前記所定の収納部に収納する一方、複数の収納部に収納不可と識別された紙幣を前記所定の収納部以外の収納部の上方の底部が閉状態の所定の一時貯留領域部に一時貯留する。よって、この作動に要する時間を短縮できる。
【００１２】
本発明に係る第４の態様は、上記第２または第３の態様において、収納処理時に、前記複数の収納部に収納不可と識別された紙幣を収納する部位が、前記収納領域部以外には設けられていないことを特徴とする。
【００１３】
上記第４の態様によれば、収納処理時に、複数の収納部に収納不可と識別された紙幣を収納する部位が、収納領域部以外には設けられていないため、機体を小型化できる。
【００１４】
本発明に係る第５の態様は、上記第１乃至第４のいずれか一態様において、収納処理時に、前記一時貯留部から繰り出された紙幣のうち、識別部で前記複数の収納部に収納不可と識別された紙幣を、前記複数の収納部のうちの所定の収納部の上方の底部が閉状態の前記一時貯留領域部に当該所定の収納部に収納すべき紙幣とともに一時貯留し、前記一時貯留領域部に一時貯留されている紙幣を前記一時貯留部に戻し、再度、前記一時貯留部から繰り出して識別部で識別することを特徴とする。
【００１５】
上記第５の態様によれば、収納処理時に、複数の収納部に収納不可と識別された紙幣を、一旦、所定の収納部の上方の底部が閉状態の一時貯留領域部に当該所定の収納部に収納すべき紙幣とともに一時貯留することになるが、当該一時貯留領域部から紙幣を繰り出して一時貯留部に戻し、再度、一時貯留部から繰り出して識別部で識別する。このように、複数の収納部に収納不可と一旦識別した紙幣を、一時貯留部から再度繰り出す際に識別部で再度識別することができる。
【発明の効果】
【００１６】
本発明によれば、機体の小型化が可能となる紙幣処理機を提供することができる。
【図面の簡単な説明】
【００１７】
【図１】本発明に係る一実施形態の紙幣処理機を概略的に示す側断面図である。
【図２】本発明に係る一実施形態の紙幣処理機を概略的に示す側断面図であって、入金処理の紙幣搬送ルートを太線で示すものである。
【図３】本発明に係る一実施形態の紙幣処理機を概略的に示す側断面図であって、収納処理の第１処理の紙幣搬送ルートを太線で示すものである。
【図４】本発明に係る一実施形態の紙幣処理機を概略的に示す側断面図であって、収納処理の第２処理の紙幣搬送ルートを太線で示すものである。
【図５】本発明に係る一実施形態の紙幣処理機を概略的に示す側断面図であって、収納処理の第３処理の紙幣搬送ルートを太線で示すものである。
【図６】本発明に係る一実施形態の紙幣処理機を概略的に示す側断面図であって、収納処理の第３処理の紙幣搬送ルートを太線で示すものである。
【図７】本発明に係る一実施形態の紙幣処理機を概略的に示す側断面図であって、収納処理の第３処理の紙幣搬送ルートを太線で示すものである。
【図８】本発明に係る一実施形態の紙幣処理機を概略的に示す側断面図であって、収納処理の第４処理の紙幣搬送ルートを太線で示すものである。
【図９】本発明に係る一実施形態の紙幣処理機を概略的に示す側断面図であって、第２満杯解消処理の紙幣搬送ルートを太線で示すものである。
【図１０】本発明に係る一実施形態の紙幣処理機を概略的に示す側断面図であって、第２満杯解消処理の紙幣搬送ルートを太線で示すものである。
【図１１】本発明に係る一実施形態の紙幣処理機を概略的に示す側断面図であって、第２満杯解消処理の紙幣搬送ルートを太線で示すものである。
【図１２】本発明に係る一実施形態の紙幣処理機を概略的に示す側断面図であって、第２満杯解消処理の紙幣搬送ルートを太線で示すものである。
【図１３】本発明に係る一実施形態の紙幣処理機を概略的に示す側断面図であって、第２満杯解消処理の紙幣搬送ルートを太線で示すものである。
【図１４】本発明に係る一実施形態の紙幣処理機を概略的に示す側断面図であって、返却処理の紙幣搬送ルートを太線で示すものである。
【図１５】本発明に係る一実施形態の紙幣処理機を概略的に示す側断面図であって、バラ紙幣出金処理の紙幣搬送ルートを太線で示すものである。
【図１６】本発明に係る一実施形態の紙幣処理機を概略的に示す側断面図であって、束紙幣出金処理の紙幣搬送ルートを太線で示すものである。
【図１７】本発明に係る一実施形態の紙幣処理機を概略的に示す側断面図であって、ローカル整理処理の紙幣搬送ルートを太線で示すものである。
【図１８】本発明に係る一実施形態の紙幣処理機を概略的に示す側断面図であって、回収処理の紙幣搬送ルートを太線で示すものである。
【図１９】本発明に係る一実施形態の紙幣処理機を概略的に示す側断面図であって、回収処理の紙幣搬送ルートを太線で示すものである。
【図２０】本発明に係る一実施形態の紙幣処理機を概略的に示す側断面図であって、精査処理の往路ルートを太線で示すものである。
【発明を実施するための形態】
【００１８】
本発明に係る一実施形態の紙幣処理機を図面を参照して以下に説明する。本実施形態の紙幣処理機１１は、紙幣についての入出金処理等を行うものである。以下では、バラ紙幣を単に紙幣と称し、紙幣を所定の結束単位枚数（１００枚）で結束した紙幣を束紙幣と称す。
【００１９】
図１に示すように、本実施形態の紙幣処理機１１は、その機体１０の前面側の上部に入金部２０および出金返却部２１が設けられている。出金返却部２１は入金部２０の上側に設けられている。
【００２０】
入金部２０は、開閉可能な図示略のシャッタを有しており、シャッタが開状態とされて機外から紙幣が投入され、その後、シャッタが閉じられて紙幣を機内に繰り出す。入金部２０には、機体前面側から見て紙幣が左右方向に長手方向を沿わせた姿勢で下から上に集積されて載置されることになり、下部に、入金部２０上に集積された紙幣を下端のものから一枚ずつ分離し所定の間隔をあけて機内へ繰り出す入金繰出部２４が設けられている。紙幣は、紙幣処理機１１内で、基本的にその短手方向を搬送方向に沿わせた姿勢で搬送される。
【００２１】
入金部２０から紙幣を繰り出す入金繰出部２４は、入金部２０に集積された紙幣のうちの最も下側の紙幣の短手方向の中間部に当接して、これを機内側に蹴り出す蹴出ローラ２４ａと、蹴出ローラ２４ａで蹴り出された紙幣を機内に繰り出す繰出ローラ２４ｂと、繰出ローラ２４ｂに対し停止することで、繰出ローラ２４ｂが機内に繰り出す紙幣を一枚ずつに分離する分離ローラ２４ｃとを有している。入金繰出部２４の直後位置には、入金繰出部２４から繰り出された紙幣に、複数枚重なった状態の重送、搬送方向に対し斜めの姿勢となる斜行、あるいは隣り合う紙幣同士の搬送間隔が狭いニアフィード等の搬送異常があるか否かと、半券等の形状異常があるか否かとを光学的に検出する入口センサ２５が設けられている。
【００２２】
出金返却部２１は、開閉可能な図示略のシャッタを有しており、シャッタが閉状態とされて機内から出金用の紙幣が繰り出され、その後、シャッタが開かれることで紙幣が機外に取り出される。言い換えれば、出金返却部２１は、紙幣を機外に取り出し可能とする。出金返却部２１は、機内から繰り出された紙幣が、機体前面側から見て左右方向に長手方向を沿わせた姿勢で下から上に集積されて載置されることになる。出金返却部２１は、シャッタが閉じられた状態で、紙幣を貯留可能であり、貯留している紙幣を機内に繰り出し可能となっている。
【００２３】
紙幣処理機１１の後部には、入金部２０から繰り出された紙幣の真偽と、真紙幣の金種と、重送、斜行あるいはニアフィード等の搬送異常の有無等を識別する識別部３１が設けられている。識別部３１は、紙幣の表裏、上下（天地）および左右等も識別する。
【００２４】
入金部２０および出金返却部２１の後方には、紙幣を整列させて所定の結束単位枚数ずつ集積させる複数、具体的には２カ所の整列部３５，３６が設けられている。また、これらの整列部３５，３６の後方には、整列部３５，３６で集積された結束単位枚数の紙幣を上方に搬送する昇降搬送部３７が設けられている。また、整列部３５，３６の上方には、整列部３５，３６で集積され昇降搬送部３７で搬送されてきた結束単位枚数の紙幣に結束テープを巻き回して束紙幣とする結束部３８が設けられている。この結束部３８の前側には結束部３８で作成された束紙幣を機外に取り出し可能に繰り出す束出金部３９が設けられている。束出金部３９も開閉可能な図示略のシャッタを有しており、シャッタが閉状態とされて機内から束紙幣が繰り出され、その後、シャッタが開かれることで束紙幣が機外に取り出される。結束部３８の側方には、結束部３８で結束された束紙幣を収納する図示略の束収納部が設けられている。
【００２５】
紙幣処理機１１の下部には、複数具体的には４個の同様の構造の収納庫４１が、上下左右の位置を合わせて前後に並べられている。これら収納庫４１は、紙幣を一時貯留可能であって一時貯留している紙幣を繰り出し可能であり、紙幣を収納可能であって収納している紙幣を繰り出し可能である。これら収納庫４１は、機体１０から取り外し不可であり、機体１０から一体に引き出し可能となっている。
【００２６】
紙幣処理機１１において、最も奥側に配置された収納庫４１（Ａ）、奥から２番目に配置された収納庫４１（Ｂ）および奥から３番目に配置された収納庫４１（Ｃ）は、いずれも所定の単一金種の汚損のない紙幣を下から上に集積させた状態で繰り出し可能となるように収納するものである。奥から４番目に配置された収納庫４１（Ｄ）は、所定のその他の紙幣を下から上に集積させた状態で繰り出し可能となるように収納するものである。
【００２７】
収納庫４１（Ａ）は、紙幣処理機１１に受け入れ可能な受入可能紙幣のうち、所定の第１種の紙幣（例えば現行万円券の汚損のない正常紙幣）を、収納庫４１（Ｂ）は、所定の第２種の紙幣（例えば現行五千円券の汚損のない正常紙幣）を、収納庫４１（Ｃ）は、所定の第３種の紙幣（例えば現行千円券の汚損のない正常紙幣）を、収納庫４１（Ｄ）は、第１〜第３種以外の第４種の紙幣（例えば、すべての二千円券、現行万円券の汚損のある汚損紙幣、すべての旧万円券、現行五千円券の汚損のある汚損紙幣、すべての旧五千円券、現行千円券の汚損のある汚損紙幣、およびすべての旧千円券）を、それぞれ繰り出し可能に収納する。すなわち、紙幣処理機１１は、単一金種の現行の汚損のない正常紙幣用の収納庫４１（Ａ）〜４１（Ｃ）を複数個、金種別に有している。なお、収納庫４１は、紙幣を分類して収納できるように複数個設けられていれば良く、収納パターンは、上記に限らない。
【００２８】
収納庫４１（Ａ）〜４１（Ｄ）のそれぞれの上部には、それぞれの内部に紙幣を取り込んで下から上に集積させるとともに内部の紙幣を最上のものから一枚ずつ分離して所定の間隔をあけて繰り出す取込繰出部４２が設けられている。収納庫４１（Ａ）〜４１（Ｄ）のそれぞれには、紙幣を収容する内部空間を上下に仕切る昇降可能かつ開閉可能なセパレータ４３（底部）と、内部空間内を昇降するエレベータ４４とが設けられている。
【００２９】
取込繰出部４２は、セパレータ４３上あるいはエレベータ４４上に集積された紙幣のうちの最上位置の紙幣の短手方向の中間部に当接して、これを収納庫４１外に向け蹴り出す蹴出ローラ４２ａと、蹴出ローラ４２ａで蹴り出された紙幣を収納庫４１外に繰り出す繰出ローラ４２ｂと、繰出ローラ４２ｂに対し停止することで、繰出ローラ４２ｂが収納庫４１外に繰り出す紙幣を一枚ずつに分離する分離ローラ４２ｃとを有している。繰出ローラ４２ｂは、この繰り出し時とは逆向きに回転することで、連れ回りする分離ローラ４２ｃとで紙幣を挟持して収納庫４１内に取り込む。
【００３０】
セパレータ４３は、同一高さで水平に配置された一対の昇降支軸４３ａと、一対の板状のセパレータ本体４３ｂとを有している。一方のセパレータ本体４３ｂは一方の昇降支軸４３ａに支持されており、この昇降支軸４３ａを中心に回転可能となっている。他方のセパレータ本体４３ｂは他方の昇降支軸４３ａに支持されており、この昇降支軸４３ａを中心に回転可能となっている。セパレータ４３は、閉状態にあるとき、一方のセパレータ本体４３ｂが一方の昇降支軸４３ａから他方の昇降支軸４３ａに向けて水平に延出し、他方のセパレータ本体４３ｂが他方の昇降支軸４３ａから一方の昇降支軸４３ａに向けて水平に延出する。
【００３１】
セパレータ４３は、開状態にあるとき、一方のセパレータ本体４３ｂが閉状態に対して９０度回転して一方の昇降支軸４３ａから鉛直下方に延出することになり、他方のセパレータ本体４３ｂが閉状態に対して９０度回転して他方の昇降支軸４３ａから鉛直下方に延出することになる。セパレータ４３は、一対の昇降支軸４３ａが常に高さを合わせて昇降することになり、一対のセパレータ本体４３ｂは同期して開作動し、同期して閉作動する。収納庫４１（Ａ）〜４１（Ｄ）のそれぞれのセパレータ４３は、個別の駆動機構で駆動されることになり、単独で昇降および開閉が制御される。
【００３２】
セパレータ４３は、閉状態にあるとき、これが設けられた収納庫４１を、セパレータ４３を含むセパレータ４３から上側の一時貯留領域部４７（一時貯留領域部）と、セパレータ４３よりも下側の収納領域部４８（収納部）とに区画する。言い換えれば、収納庫４１は、セパレータ４３によって、一時貯留エリアである一時貯留領域部４７と、その直下の収納エリアである収納領域部４８とに区分されている。
【００３３】
セパレータ４３は、閉状態にあるとき、一時貯留領域部４７の底部を構成することになり、取込繰出部４２が取り込んだ紙幣を載置させ、下から上へと集積させる。その際に、セパレータ４３は、取込繰出部４２が取り込んだ紙幣の量に応じて下降する。また、セパレータ４３は、載置させた紙幣の最上位置の紙幣を、上昇して取込繰出部４２の蹴出ローラ４２ａに当接させる。この状態で、取込繰出部４２が紙幣を一枚ずつ分離して一時貯留領域部４７から繰り出す。その際に、セパレータ４３は、取込繰出部４２が繰り出した紙幣の量に応じて上昇する。
【００３４】
セパレータ４３が開状態にあるとき、このセパレータ４３が設けられた収納庫４１の一時貯留領域部４７と収納領域部４８とが連続する状態になる。この状態で、取込繰出部４２が取り込んだ紙幣を、エレベータ４４が載置させ、下から上へと集積させる。その際に、エレベータ４４は、取込繰出部４２が取り込んだ紙幣を、その上あるいはその上の紙幣上に受け入れる受入位置まで一旦上昇し、その後、取込繰出部４２が取り込んだ紙幣の量に応じて下降する。
【００３５】
よって、収納庫４１（Ａ）は、セパレータ４３が開状態にあるとき、取込繰出部４２が取り込んだ紙幣を、連続する一時貯留領域部４７と収納領域部４８とに、一時貯留領域部４７において受け入れてエレベータ４４上に集積させる。その後、エレベータ４４が下降してエレベータ４４上の紙幣が収納領域部４８に至ってからセパレータ４３が閉じられると、収納庫４１（Ａ）は収納領域部４８が紙幣を収納する状態になる。
【００３６】
同様に、収納庫４１（Ｂ）は、セパレータ４３が開状態にあるとき、取込繰出部４２が取り込んだ紙幣を、連続する一時貯留領域部４７と収納領域部４８とに、一時貯留領域部４７において受け入れてエレベータ４４上に集積させる。その後、エレベータ４４が下降してエレベータ４４上の紙幣が収納領域部４８に至ってからセパレータ４３が閉じられると、収納庫４１（Ｂ）は収納領域部４８が紙幣を収納する状態になる。
【００３７】
同様に、収納庫４１（Ｃ）は、セパレータ４３が開状態にあるとき、取込繰出部４２が取り込んだ紙幣を、連続する一時貯留領域部４７と収納領域部４８とに、一時貯留領域部４７において受け入れてエレベータ４４上に集積させる。その後、エレベータ４４が下降してエレベータ４４上の紙幣が収納領域部４８に至ってからセパレータ４３が閉じられると、収納庫４１（Ｃ）は収納領域部４８が紙幣を収納する状態になる。
【００３８】
同様に、収納庫４１（Ｄ）は、セパレータ４３が開状態にあるとき、取込繰出部４２が取り込んだ紙幣を、連続する一時貯留領域部４７と収納領域部４８とに、一時貯留領域部４７において受け入れてエレベータ４４上に集積させる。その後、エレベータ４４が下降してエレベータ４４上の紙幣が収納領域部４８に至ってからセパレータ４３が閉じられると、収納庫４１（Ｄ）は収納領域部４８が紙幣を収納する状態になる。
【００３９】
セパレータ４３が開状態にあって、このセパレータ４３が設けられた収納庫４１の一時貯留領域部４７と収納領域部４８とが連続する状態で、この収納領域部４８のエレベータ４４が上昇すると、このエレベータ４４は、載置させた紙幣のうちの最上位置の紙幣を取込繰出部４２の蹴出ローラ４２ａに当接させる。この状態で、取込繰出部４２が、紙幣を一枚ずつ分離して、連続する一時貯留領域部４７および収納領域部４８から、一時貯留領域部４７において繰り出す。その際に、エレベータ４４は、取込繰出部４２から繰り出された紙幣の量に応じて上昇する。収納庫４１（Ａ）〜４１（Ｄ）のそれぞれのエレベータ４４は、個別の駆動機構で駆動されることになり、単独で昇降が制御される。
【００４０】
収納庫４１（Ａ）〜４１（Ｄ）は、それぞれ、エレベータ４４を最下の待機位置に位置させ、エレベータ４４上の紙幣をセパレータ４３よりも下側に位置させて、セパレータ４３を閉じ、セパレータ４３を上部の所定の待機位置に位置させて、取込繰出部４２が取り込んだ紙幣をセパレータ４３上に集積開始可能な状態が、待機状態となっている。よって、収納庫４１（Ａ）〜４１（Ｄ）は、それぞれ、待機状態にあるとき、一時貯留領域部４７が空となっている。収納庫４１（Ａ）〜４１（Ｄ）の待機状態は、貯留紙幣を一時貯留領域部４７に受け入れる貯留受入状態である。
【００４１】
また、複数の収納庫４１（Ａ）〜４１（Ｄ）は、それぞれ、エレベータ４４を最下の待機位置に位置させ、セパレータ４３を閉じ、セパレータ４３上の最上位置の紙幣を取込繰出部４２の蹴出ローラ４２ａに当接させる状態が、一時貯留領域部４７のセパレータ４３上に載置されている紙幣を繰り出す貯留紙幣繰出状態となっている。
【００４２】
また、複数の収納庫４１（Ａ）〜４１（Ｄ）は、それぞれ、セパレータ４３を開き、エレベータ４４上、あるいはエレベータ４４上の最上位置の紙幣の上に、取込繰出部４２が取り込んだ紙幣を集積させる状態が、連続する一時貯留領域部４７および収納領域部４８に紙幣を受け入れる直収納受入状態となっている。複数の収納庫４１（Ａ）〜４１（Ｄ）は、それぞれ、セパレータ４３を開状態としてエレベータ４４上に紙幣を受け入れた後、エレベータ４４を下降させて、エレベータ４４上の紙幣がすべて、開状態のセパレータ４３よりも下側に位置すると、セパレータ４３を閉じる。この状態で、紙幣が収納領域部４８に収納される。複数の収納庫４１（Ａ）〜４１（Ｄ）のそれぞれの収納領域部４８は、上方の、セパレータ４３が開かれた状態の一時貯留領域部４７を介して紙幣を受け入れて収納する。
【００４３】
また、複数の収納庫４１（Ａ）〜４１（Ｄ）は、それぞれ、それまで一時貯留領域部４７のセパレータ４３上に貯留されていてセパレータ４３の開作動で落下させられる紙幣を、エレベータ４４上、あるいはエレベータ４４上の最上位置の紙幣の上に集積可能な状態が、一時貯留領域部４７のセパレータ４３上に載置されている紙幣を収納領域部４８のエレベータ４４上に受け入れる貯留収納受入状態となっている。
【００４４】
また、複数の収納庫４１（Ａ）〜４１（Ｄ）は、それぞれ、セパレータ４３を開き、エレベータ４４上の最上位置の紙幣を取込繰出部４２の蹴出ローラ４２ａに当接させる状態が、収納領域部４８に収納していた紙幣を一時貯留領域部４７を介して繰り出す収納紙幣繰出状態となっている。
【００４５】
以上により、複数の収納庫４１（Ａ）〜４１（Ｄ）のそれぞれの収納領域部４８の上方には、底部であるセパレータ４３が開閉可能であって紙幣を繰り出し可能に一時貯留する一時貯留領域部４７が設けられている。また、複数の収納庫４１（Ａ）〜４１（Ｄ）のそれぞれの収納領域部４８は、それぞれ、セパレータ４３が開状態の上方の一時貯留領域部４７を介して紙幣を受け入れて収納することになる。言い換えれば、複数の収納庫４１（Ａ）〜４１（Ｄ）のそれぞれの収納領域部４８は、上方の、底部であるセパレータ４３が開かれた状態の一時貯留領域部４７を介して紙幣を受け入れて収納することになる。
【００４６】
収納庫４１（Ａ）〜４１（Ｄ）は、一体で機体１０から側方に引き出し可能であり、機体１０から一体に引き出された状態で、一時貯留領域部４７が開閉可能となっている。収納庫４１（Ａ）〜４１（Ｄ）は、それぞれ、一時貯留領域部４７が開かれることで、一時貯留領域部４７に一時貯留している紙幣が外部に取り出し可能となる。なお、収納庫４１（Ａ）〜４１（Ｄ）は、一時貯留領域部４７が開かれても、そのセパレータ４３が閉じられた状態にあれば、このセパレータ４３よりも下方の収納領域部４８に収納されている紙幣は、一時貯留領域部４７側からは、取り出し不可となっている。
【００４７】
紙幣処理機１１の下部には、収納庫４１（Ｄ）の前側に、入金処理時に紙幣処理機１１に受け入れ可能な受入可能紙幣を金種混合で一時貯留する一括一時貯留部としてのカセット５１が設けられている。カセット５１は、機体１０から取り外し可能であって回収処理時に金種別の収納領域部４８から繰り出された紙幣を取り込んで収納するとともに、補充処理時に補充用の紙幣が機外で装填され、装填された紙幣を繰り出す。カセット５１は金種別の収納庫４１（Ａ）〜４１（Ｄ）と上下左右の位置を合わせて前後に並んでいる。カセット５１は、紙幣の収納容量が、収納庫４１（Ａ）〜４１（Ｄ）のそれぞれの収納容量よりも大きくなっている。
【００４８】
カセット５１は、紙幣を金種混合で下から上に集積させた状態で一時貯留するとともに、一時貯留している紙幣を後に繰り出し可能となるように収納するものであり、その上部には、内部に紙幣を取り込むとともに内部の紙幣を最上位置のものから一枚ずつ分離して所定の間隔をあけて繰り出す取込繰出部５２が設けられている。カセット５１には、紙幣を収容する内部空間を上下に仕切る昇降可能かつ開閉可能なセパレータ５３（底部）と、内部空間内を昇降するエレベータ５４とが設けられている。
【００４９】
取込繰出部５２は、セパレータ５３上あるいはエレベータ５４上に集積された紙幣のうちの最上位置の紙幣の短手方向の中間部に当接して、これをカセット５１外に向けて蹴り出す蹴出ローラ５２ａと、蹴出ローラ５２ａで蹴り出された紙幣をカセット５１外に繰り出す繰出ローラ５２ｂと、繰出ローラ５２ｂに対し停止することで、繰出ローラ５２ｂがカセット５１外に繰り出す紙幣を一枚ずつに分離する分離ローラ５２ｃとを有している。繰出ローラ５２ｂは、この繰り出し時とは逆向きに回転することで、連れ回りする分離ローラ５２ｃとで紙幣を挟持してカセット５１内に取り込む。
【００５０】
セパレータ５３は、同一高さで水平に配置された一対の昇降支軸５３ａと、一対の板状のセパレータ本体５３ｂとを有している。一方のセパレータ本体５３ｂは一方の昇降支軸５３ａに支持されており、この昇降支軸５３ａを中心に回転可能となっている。他方のセパレータ本体５３ｂは他方の昇降支軸５３ａに支持されており、この昇降支軸５３ａを中心に回転可能となっている。セパレータ５３は、閉状態にあるとき、一方のセパレータ本体５３ｂが一方の昇降支軸５３ａから他方の昇降支軸５３ａに向けて水平に延出し、他方のセパレータ本体５３ｂが他方の昇降支軸５３ａから一方の昇降支軸５３ａに向けて水平に延出する。
【００５１】
セパレータ５３は、開状態にあるとき、一方のセパレータ本体５３ｂが閉状態に対して９０度回転して一方の昇降支軸５３ａから鉛直下方に延出することになり、他方のセパレータ本体５３ｂが閉状態に対して９０度回転して他方の昇降支軸５３ａから鉛直下方に延出することになる。セパレータ５３は、一対の昇降支軸５３ａが常に高さを合わせて昇降することになり、一対のセパレータ本体５３ｂは同期して開作動し、同期して閉作動する。カセット５１のセパレータ５３は、収納庫４１（Ａ）〜４１（Ｄ）のそれぞれのセパレータ４３とは別の駆動機構で駆動されることになり、単独で昇降および開閉が制御される。
【００５２】
セパレータ５３は、閉状態にあるとき、カセット５１を、セパレータ５３を含むセパレータ５３から上側の一時貯留領域部５７（一時貯留部）と、セパレータ５３よりも下側の収納領域部５８（収納領域部）とに区画する。言い換えれば、カセット５１は、セパレータ５３によって、一時貯留エリアである一時貯留領域部５７と、その直下の収納エリアである収納領域部５８とに区分されている。
【００５３】
セパレータ５３は、閉状態にあるとき、一時貯留領域部５７の底部を構成することになり、取込繰出部５２が取り込んだ紙幣を載置させ、下から上へと集積させる。その際に、セパレータ５３は、取込繰出部５２が取り込んだ紙幣の量に応じて下降する。また、セパレータ５３は、載置させた紙幣の最上位置の紙幣を、上昇して取込繰出部５２の蹴出ローラ５２ａに当接させる。この状態で、取込繰出部５２が紙幣を一枚ずつ分離して一時貯留領域部５７から繰り出す。その際に、セパレータ５３は、取込繰出部５２が繰り出した紙幣の量に応じて上昇する。
【００５４】
セパレータ５３が開状態にあるとき、カセット５１の一時貯留領域部５７と収納領域部５８とが連続する状態になる。この状態で、エレベータ５４が、取込繰出部５２が取り込んだ紙幣を載置させ、下から上へと集積させる。その際に、エレベータ５４は、取込繰出部５２が取り込んだ紙幣を、その上あるいはその上の紙幣上に受け入れる受入位置まで一旦上昇し、取込繰出部５２が取り込んだ紙幣の量に応じて下降する。
【００５５】
カセット５１は、セパレータ５３が開状態にあるとき、取込繰出部５２が取り込んだ紙幣を、連続する一時貯留領域部５７と収納領域部５８とに、一時貯留領域部５７において受け入れてエレベータ４４上に集積させる。その後、エレベータ５４が下降してエレベータ５４上の紙幣が収納領域部５８に至ってからセパレータ５３が閉じられると、カセット５１は収納領域部５８が紙幣を収納する状態になる。
【００５６】
セパレータ５３が開状態にあって、カセット５１の一時貯留領域部５７と収納領域部５８とが連続する状態で、収納領域部５８のエレベータ５４が上昇すると、このエレベータ５４は、載置させた紙幣のうちの最上位置の紙幣を取込繰出部５２の蹴出ローラ５２ａに当接させる。この状態で、取込繰出部５２が紙幣を一枚ずつ分離して、連続する一時貯留領域部５７および収納領域部５８から、一時貯留領域部５７において繰り出す。その際に、エレベータ５４は、取込繰出部５２から繰り出された紙幣の量に応じて上昇する。カセット５１のエレベータ５４は、収納庫４１（Ａ）〜４１（Ｄ）のそれぞれのエレベータ４４とは別の駆動機構で駆動されることになり、単独で昇降が制御される。
【００５７】
カセット５１は、エレベータ５４を最下の待機位置に位置させ、エレベータ５４上の紙幣をセパレータ５３よりも下側に位置させて、セパレータ５３を閉じ、セパレータ５３を上部の所定の待機位置に位置させて、取込繰出部５２が取り込んだ紙幣を、セパレータ５３上に集積開始可能な状態が、待機状態となっている。よって、カセット５１は、待機状態にあるとき、一時貯留領域部５７が空となっている。カセット５１の待機状態は、貯留紙幣を一時貯留領域部５７に受け入れる貯留受入状態である。
【００５８】
また、カセット５１は、エレベータ５４を最下の待機位置に位置させ、セパレータ５３を閉じ、セパレータ５３上の最上位置の紙幣を取込繰出部５２の蹴出ローラ５２ａに当接させる状態が、一時貯留領域部５７のセパレータ５３上に載置されている紙幣を繰り出す貯留紙幣繰出状態となっている。
【００５９】
また、カセット５１は、セパレータ５３を開き、エレベータ５４上、あるいはエレベータ５４上の最上位置の紙幣の上に、取込繰出部５２が取り込んだ紙幣を集積させる状態が、連続する一時貯留領域部５７および収納領域部５８に、一時貯留領域部５７において紙幣を受け入れる直収納受入状態となっている。カセット５１は、セパレータ５３を開状態としてエレベータ５４上に紙幣を受け入れた後、エレベータ５４を下降させて、エレベータ５４上の紙幣がすべて、開状態のセパレータ５３よりも下側に位置すると、セパレータ５３を閉じる。この状態で、紙幣が収納領域部５８に収納される。よって、収納領域部５８は、上方の、底部であるセパレータ５３が開かれた状態の一時貯留領域部５７を介して紙幣を受け入れて収納することになる。
【００６０】
また、カセット５１は、セパレータ５３を開き、エレベータ５４上の最上位置の紙幣を取込繰出部４２の蹴出ローラ４２ａに当接させる状態が、収納領域部５８に収納していた紙幣を一時貯留領域部５７を介して繰り出す収納紙幣繰出状態となっている。
【００６１】
以上により、カセット５１の収納領域部５８の上方には、底部であるセパレータ５３が開閉可能であって紙幣を繰り出し可能に一時貯留する一時貯留領域部５７が設けられている。また、カセット５１は、セパレータ５３を開状態として、取込繰出部５２が取り込んだ紙幣を、一時貯留領域部５７を介して、セパレータ５３の下方の収納領域部５８に収納する。言い換えれば、一時貯留領域部５７の底部であるセパレータ５３の下方には、セパレータ５３が開かれた状態の一時貯留領域部５７を介して紙幣を受け入れて収納する収納領域部５８が設けられている。
【００６２】
紙幣処理機１１の内部には、入金部２０から入金繰出部２４で繰り出された紙幣を含んで紙幣を搬送する搬送部６１が各部を適宜繋ぐように設けられている。搬送部６１は、紙幣を、基本的にその短手方向を搬送方向に沿わせた姿勢で移動させる。
【００６３】
搬送部６１は、機体１０の前部に設けられた入金部２０の紙幣を機体１０の後部に設けられた識別部３１に向けて搬送し、さらに、機体１０の前部に設けられたカセット５１に向けて搬送する搬送路６１Ａを有している。搬送路６１Ａは、入金部２０の入金繰出部２４から後方に、後述する搬送路６１Ｊと搬送路６１Ｍとの間まで延出した後、下方に延出し、その後、後方に延出して識別部３１を通り、下側にて前向きに折り返して前方に延出して紙幣処理機１１の前端から下方に延出してカセット５１の取込繰出部５２に繋がっている。
【００６４】
また、搬送部６１は、搬送路６１Ａにおけるカセット５１への接続位置と識別部３１との間から下方に分岐して収納庫４１（Ａ）の取込繰出部４２に繋がる搬送路６１Ｃと、搬送路６１Ａにおけるカセット５１への接続位置と搬送路６１Ｃの分岐位置との間から下方に分岐して収納庫４１（Ｂ）の取込繰出部４２に繋がる搬送路６１Ｄと、搬送路６１Ａにおけるカセット５１への接続位置と搬送路６１Ｄの分岐位置との間から下方に分岐して収納庫４１（Ｃ）の取込繰出部４２に繋がる搬送路６１Ｅと、搬送路６１Ａにおけるカセット５１への接続位置と搬送路６１Ｅの分岐位置との間から下方に分岐して収納庫４１（Ｄ）の取込繰出部４２に繋がる搬送路６１Ｆとを有している。
【００６５】
また、搬送部６１は、搬送路６１Ａにおける最もカセット５１側から上方に分岐した後に後方に延出して搬送路６１Ａの入金部２０から識別部３１に向かいつつ下方に延出する部分の下部に繋がる搬送路６１Ｇと、搬送路６１Ａにおける搬送路６１Ｆの分岐位置と搬送路６１Ｇの分岐位置との間位置から上方に分岐して搬送路６１Ｇの途中位置に繋がる搬送路６１Ｈと、搬送路６１Ｇにおける搬送路６１Ｈの接続位置と後部の搬送路６１Ａへの接続位置との間位置から上方に分岐して搬送路６１Ａにおける搬送路６１Ｇの後部の接続位置と入口センサ２５との間に繋がる搬送路６１Ｊとを有している。
【００６６】
また、搬送部６１は、搬送路６１Ａにおける搬送路６１Ｊの接続位置と搬送路６１Ｇの後部の接続位置との間から後方に分岐した後、上方に延出し、その後、前方に延出して出金返却部２１に繋がる搬送路６１Ｌを有している。
【００６７】
また、搬送部６１は、搬送路６１Ａにおける搬送路６１Ｇの後部の接続位置と識別部３１との間から上方に分岐して搬送路６１Ｌの中間位置に接続される搬送路６１Ｍと、搬送路６１Ａにおける搬送路６１Ｍの分岐位置と識別部３１との間から分岐して搬送路６１Ｍの中間位置に繋がる搬送路６１Ｎとを有している。搬送路６１Ｎには、紙幣の表裏を反転させる表裏反転部６３が設けられている。
【００６８】
また、搬送部６１は、搬送路６１Ｌにおける出金返却部２１と搬送路６１Ｍの合流位置との間から後方に分岐して整列部３５に繋がる搬送路６１Ｐと、搬送路６１Ｌにおける搬送路６１Ｐの分岐位置と搬送路６１Ｍの合流位置との間から後方に分岐して整列部３６に繋がる搬送路６１Ｑとを有している。
【００６９】
識別部３１は、搬送部６１によって搬送される紙幣を識別することになり、収納庫４１（Ａ）〜４１（Ｄ）およびカセット５１は、識別部３１によって識別した紙幣を、識別部３１の識別結果に基づいて、繰り出し可能に収納する。
【００７０】
紙幣処理機１１は、操作者によって操作入力がなされるとともに操作者に対して表示を行う操作表示部７０と、紙幣処理機１１の全体を制御する制御部７１とを有している。
【００７１】
次に、本実施形態の紙幣処理機１１の各処理について説明する。
【００７２】
待機状態にあるとき、収納庫４１（Ａ）〜４１（Ｄ）は、すべてが一時貯留領域部４７を空の状態としており、収納領域部４８には通常は紙幣を収納している。また、待機状態にあるとき、収納庫４１（Ａ）〜４１（Ｄ）のセパレータ４３は、閉状態で紙幣を受け入れて集積開始可能な待機位置に位置しており、エレベータ４４は最下の待機位置に位置している。また、待機状態にあるとき、カセット５１は、一時貯留領域部５７を空の状態としており、収納領域部５８には場合により紙幣を収納している。また、待機状態にあるとき、カセット５１のセパレータ５３は、閉状態で紙幣を受け入れて集積開始可能な上部の待機位置に位置しており、エレベータ５４は最下の待機位置に位置している。
【００７３】
［入金処理］
図２の太線は、機外から入金部２０に投入された紙幣を搬送しつつ識別および計数して一時貯留する入金処理の紙幣搬送ルートを示している。つまり、入金部２０に紙幣が投入されて、操作表示部７０に入金処理の選択操作がなされると、制御部７１は、入金処理を開始して、入金繰出部２４と、搬送部６１と、待機状態にあるカセット５１の取込繰出部５２とを駆動する。すると、入金繰出部２４は、入金部２０に投入された紙幣を最下のものから順に、蹴出ローラ２４ａで蹴り出し繰出ローラ２４ｂおよび分離ローラ２４ｃで一枚ずつに分離しつつ所定の間隔をあけて繰り出すことになり、繰り出した紙幣を、搬送路６１Ａが搬送することになる。入金繰出部２４から繰り出された紙幣は、繰り出し直後に入口センサ２５で、搬送異常の有無と形状異常の有無とが検出される。
【００７４】
制御部７１は、入口センサ２５で搬送異常あるいは形状異常があることが検出された入金リジェクト紙幣については、図２に太実線から太一点鎖線に示すように、搬送路６１Ａの入金部２０側の部分と搬送路６１Ｍ，６１Ｌとで出金返却部２１に搬送する。すなわち、入口センサ２５で搬送異常あるいは形状異常があることが検出された入金リジェクト紙幣については、入金部２０から識別部３１に向かう搬送路６１Ａから分岐し、分岐後はこの搬送路６１Ａに交わることがない搬送路６１Ｍ，６１Ｌで、識別部３１に搬送することなく出金返却部２１に搬送する。
【００７５】
他方、入口センサ２５で搬送異常および形状異常のいずれも検出されなかった紙幣については、図２に太実線で示すように、搬送路６１Ａで識別部３１に搬送する。そして、この搬送中に識別部３１が紙幣を識別および計数することになり、制御部７１は、識別部３１で受け入れ可能と識別した紙幣、すなわち取り扱い可能な金種の真券で正常搬送の入金正常紙幣を、図２に太実線で示すように、搬送路６１Ａで待機状態のカセット５１に搬送する。これにより、カセット５１が、その取込繰出部５２によって、一時貯留領域部５７の閉状態で待機位置にあるセパレータ５３上に紙幣を金種混合で集積させることになる。すなわち、受け入れ可能と識別した入金正常紙幣をカセット５１の一時貯留領域部５７に一時貯留する。その際に、制御部７１は、カセット５１の一時貯留領域部５７の紙幣の貯留量を監視しており、セパレータ５３を閉状態のまま紙幣の貯留量に応じた量ずつ下降させることになる。
【００７６】
他方、制御部７１は、入金部２０から入金繰出部２４で繰り出された紙幣のうち、識別部３１で受け入れ不可と識別した紙幣、すなわち金種識別できない金種識別不良の紙幣と、重送、斜行あるいはニアフィード等の搬送異常の紙幣とを入金リジェクト紙幣として、図２に太実線、太破線および太一点鎖線で示すように、搬送路６１Ａのカセット５１側から搬送路６１Ｈに分流させ、搬送路６１Ｈ、搬送路６１Ｇ、搬送路６１Ａ、搬送路６１Ｍおよび搬送路６１Ｌで出金返却部２１に搬送する。
【００７７】
なお、このとき、入金部２０から出て搬送路６１Ａ上を識別部３１に向かう紙幣と、搬送路６１Ｈ，６１Ｇから搬送路６１Ａを通って搬送路６１Ｍに向かう紙幣とが、搬送路６１Ａの一部を共通使用することになるため、この部分で交差する可能性がある。このため、識別部３１で紙幣を受け入れ不可と判定すると、制御部７１は、この紙幣との交差のタイミングを見計らって、入金繰出部２４を停止させて、入金部２０からの紙幣の繰り出しを中断する。すなわち、識別部３１で受け入れ不可と判定された入金リジェクト紙幣が、遅くとも搬送路６１Ｇから搬送路６１Ａに入る時点では、搬送路６１Ａの搬送路６１Ｍの分岐位置よりも入金部２０側に紙幣が存在しないように、入金繰出部２４を停止させる。識別部３１で受け入れ不可と判定された入金リジェクト紙幣が、その後、搬送路６１Ａから搬送路６１Ｍに入ると、制御部７１は、入金繰出部２４の駆動を再開させる。
【００７８】
以上の入金処理の作動を行うことによって、入金部２０の紙幣がなくなり、入金部２０から繰り出されたすべての紙幣が、カセット５１の一時貯留領域部５７および出金返却部２１のいずれかに搬送されると、制御部７１は、出金返却部２１のシャッタを開いて出金返却部２１から紙幣を取り出し可能にするとともに、識別部３１で受け入れ可能と判定してカセット５１の一時貯留領域部５７に一時貯留した紙幣の金種別の枚数および総額等を操作表示部７０に表示させる。そして、制御部７１は、操作表示部７０への入金確定操作および入金キャンセル操作のいずれかの入力を待機する状態となって入金処理を終了する。
【００７９】
以上により、カセット５１の一時貯留領域部５７は、入金処理時に入金部２０から繰り出され識別部３１で受け入れ可能と識別された紙幣を金種混合で繰り出し可能に一時貯留する。
【００８０】
［収納処理］
収納処理は、入金処理後、操作表示部７０への入金確定操作が入力された入金確定時に行う処理であり、直前に行われた入金処理と一連の処理である。入金処理後、操作表示部７０への入金確定操作が入力されると、制御部７１は、カセット５１の一時貯留領域部５７に一時貯留されている紙幣を紙幣処理機１１で管理する状態になる。入金確定操作が入力されると、制御部７１は、入金処理でカセット５１の一時貯留領域部５７に一時貯留した入金紙幣の各種別の枚数と、収納庫４１（Ａ）〜４１（Ｄ）のそれぞれの収納領域部４８に既に収納されている紙幣の枚数とから、入金紙幣を収納した場合に、収納庫４１（Ａ）〜４１（Ｄ）の収納領域部４８の中に満杯状態が発生するものがあるか否かを判定する。収納庫４１（Ａ）〜４１（Ｄ）の収納領域部４８の中に満杯状態が発生するものがある場合、収納処理を行う前に後述する束収納処理を行って、満杯状態が発生する収納庫４１の収納領域部４８の紙幣の収納枚数を、収納処理を行っても満杯状態が発生しない量に予め減らしてから、収納処理を行うことになる。
【００８１】
図３〜図７の太線は、収納処理の紙幣搬送ルートを示している。入金処理後、操作表示部７０への入金確定操作が入力されると、制御部７１は、入金を確定してカセット５１の一時貯留領域部５７に一時貯留した入金紙幣を管理下におくとともに、収納処理を行う。収納処理では、まず、一時貯留領域部５７の入金紙幣を、再度の識別部３１の識別結果に基づいて、図３に太線で示すように、収納庫４１（Ａ）〜４１（Ｄ）に分配する第１処理を行う。
【００８２】
この第１処理の開始にあたって、制御部７１は、カセット５１の一時貯留領域部５７に一時貯留した紙幣の収納先である収納庫４１（Ａ）〜４１（Ｄ）のそれぞれの収納領域部４８のうちの所定の一つの収納領域部４８を含む収納庫４１の一時貯留領域部４７を、金種識別不良の紙幣および搬送異常の紙幣からなる収納リジェクト紙幣の一時貯留先として設定する。
【００８３】
具体的には、この収納処理の直前に実行された、この収納処理と一連の入金処理での識別部３１の識別結果から割り出される一時貯留領域部５７に一時貯留されている紙幣の内訳から、この収納処理において収納のため搬送される紙幣量が最も少ない収納領域部４８を含む収納庫４１の一時貯留領域部４７を、収納リジェクト紙幣の一時貯留先として設定する。収納リジェクト紙幣は、紙幣処理機１１の管理下での移動時に発生した金種識別不良あるいは搬送異常の管理下リジェクト紙幣である。ここでは、一例として、第１〜第３種以外の第４種の紙幣を収納する収納庫４１（Ｄ）の収納領域部４８が、この収納処理時において収納のため搬送される紙幣量が最も少ない収納領域部４８である場合を例にとり説明する。この場合、この収納領域部４８と同じ収納庫４１（Ｄ）の一時貯留領域部４７を収納リジェクト紙幣の一時貯留先として設定することになる。
【００８４】
そして、制御部７１は、カセット５１について、一時貯留領域部５７の底部であるセパレータ５３を上昇させてセパレータ５３上の最上位置の紙幣を取込繰出部５２の蹴出ローラ５２ａに当接させる貯留紙幣繰出状態とする。また、制御部７１は、収納庫４１（Ａ）〜４１（Ｄ）のうち、一時貯留領域部４７が収納リジェクト紙幣の一時貯留先として設定された収納庫４１（Ｄ）については、待機状態のままとし、収納庫４１（Ａ）〜４１（Ｄ）のうち、残りの収納庫４１（Ａ）〜４１（Ｃ）のすべてについて、セパレータ４３を開状態とし、エレベータ４４を、エレベータ４４上の紙幣の収納量に応じて、取込繰出部４２が取り込んだ紙幣を受け入れて集積可能な位置まで上昇させて、直収納受入状態とする。それとともに、制御部７１は、取込繰出部５２、搬送部６１および収納庫４１（Ａ）〜４１（Ｄ）の取込繰出部４２を駆動する。
【００８５】
すると、カセット５１の一時貯留領域部５７のセパレータ５３上に載置されている紙幣を最上位置のものから蹴出ローラ５２ａが蹴り出し繰出ローラ５２ｂおよび分離ローラ５２ｃで一枚ずつに分離しつつ所定の間隔をあけて繰り出すことになり、繰り出した紙幣を、図３に太実線で示すように、搬送路６１Ａ，６１Ｇ，６１Ａで識別部３１に搬送し、識別部３１で識別する。そして、制御部７１は、識別部３１で、収納リジェクト紙幣以外の収納正常紙幣と識別された紙幣を、識別結果に基づいて、搬送路６１Ａと、搬送路６１Ｃ〜６１Ｆの対応するものとによって、収納庫４１（Ａ）〜４１（Ｄ）の対応するものに搬送する。収納正常紙幣は、金種識別不良および搬送異常のいずれもない紙幣からなる。
【００８６】
これにより、カセット５１の一時貯留領域部５７に一時貯留した紙幣のうち、一時貯留領域部５７からの繰り出し後、識別部３１で正常と識別された収納正常紙幣を、収納庫４１（Ａ）〜４１（Ｃ）の収納領域部４８が収納先となるものについては、収納庫４１（Ａ）〜４１（Ｃ）の対応するもののエレベータ４４上に集積させる。
【００８７】
他方、カセット５１の一時貯留領域部５７に一時貯留した紙幣のうち、一時貯留領域部５７からの繰り出し後の識別部３１の識別結果から、収納庫４１（Ｄ）の収納領域部４８が収納先となる第４種の収納正常紙幣については、収納庫４１（Ｄ）のセパレータ４３が閉状態の一時貯留領域部４７に一時貯留する。また、カセット５１に一時貯留した紙幣のうち、一時貯留領域部５７からの繰り出し後、識別部３１で、搬送異常あるいは金種識別不良と識別された収納リジェクト紙幣を、収納庫４１（Ｄ）のセパレータ４３が閉状態の一時貯留領域部４７に一時貯留する。すなわち、第１処理では、収納庫４１（Ｄ）の一時貯留領域部４７には、収納庫４１（Ｄ）の収納領域部４８が収納先となる収納正常紙幣と、収納庫４１（Ａ）〜４１（Ｄ）の収納領域部４８には収納できない収納リジェクト紙幣とが混在することになる。
【００８８】
言い換えれば、収納リジェクト紙幣は、収納処理時にカセット５１から繰り出された紙幣のうち、複数の収納庫４１（Ａ）〜４１（Ｄ）の収納領域部４８には収納不可であると識別部３１で識別された紙幣となる。よって、収納処理時に、収納リジェクト紙幣を、まずは第１処理において、複数の収納庫４１（Ａ）〜４１（Ｄ）の収納領域部４８のうちの所定の一つである収納庫４１（Ｄ）の収納領域部４８の上方の、セパレータ４３が閉状態の一時貯留領域部４７に、当該所定の収納庫４１（Ｄ）の収納領域部４８に収納すべき紙幣とともに一時貯留する。
【００８９】
具体的に、制御部７１は、カセット５１の一時貯留領域部５７から繰り出された紙幣が第１種（例えば現行万円券の汚損のない紙幣）の収納正常紙幣である場合、この紙幣を収納庫４１（Ａ）のエレベータ４４上に集積させることになり、一時貯留領域部５７から繰り出された紙幣が第２種（例えば現行五千円券の汚損のない紙幣）の収納正常紙幣である場合、この紙幣を収納庫４１（Ｂ）のエレベータ４４上に集積させることになる。また、制御部７１は、一時貯留領域部５７から繰り出された紙幣が第３種（例えば現行千円券の汚損のない紙幣）の収納正常紙幣である場合、この紙幣を収納庫４１（Ｃ）のエレベータ４４上に集積させることになる。
【００９０】
また、制御部７１は、一時貯留領域部５７から繰り出された紙幣が、第４種（例えば、すべての二千円券、現行万円券の汚損のある紙幣、すべての旧万円券、現行五千円券の汚損のある紙幣、すべての旧五千円券、現行千円券の汚損のある紙幣、およびすべての旧千円券）の収納正常紙幣である場合、この収納正常紙幣を収納庫４１（Ｄ）の一時貯留領域部４７に一時貯留させることになる。また、制御部７１は、一時貯留領域部５７から繰り出された紙幣が、収納正常紙幣以外の、収納庫４１（Ａ）〜４１（Ｄ）に収納不可と識別された、搬送異常あるいは金種選別不良と識別された収納リジェクト紙幣の場合、この紙幣を収納庫４１（Ｄ）の一時貯留領域部４７に一時貯留させることになる。
【００９１】
このとき、制御部７１は、収納庫４１（Ａ）〜４１（Ｃ）のそれぞれに搬送される紙幣の量に応じてそれぞれのエレベータ４４を下降させることになり、収納庫４１（Ｄ）に搬送される紙幣の量に応じて収納庫４１（Ｄ）のセパレータ４３を下降させることになる。
【００９２】
このようにして、カセット５１の一時貯留領域部５７の紙幣がなくなり、一時貯留領域部５７に一時貯留していたすべての紙幣を、収納庫４１（Ａ）〜４１（Ｃ）のいずれかの収納領域部４８のエレベータ４４上に集積させ、あるいは収納庫４１（Ｄ）の一時貯留領域部４７に一時貯留させると、制御部７１は、カセット５１を待機状態に戻して第１処理を終了する。それとともに、制御部７１は、この第１処理での識別部３１の識別結果から、収納リジェクト紙幣の一時貯留場所としての収納庫４１（Ｄ）の一時貯留領域部４７に搬送された紙幣がなければ、収納庫４１（Ａ）〜４１（Ｃ）のすべてのエレベータ５４を最下の待機位置まで下降させた後、収納庫４１（Ａ）〜４１（Ｃ）のすべてのセパレータ４３を待機位置に戻し閉状態として、収納庫４１（Ａ）〜４１（Ｃ）を待機状態にする。これにより、収納庫４１（Ａ）〜４１（Ｃ）のそれぞれのエレベータ４４上の紙幣を、それぞれの収納領域部４８に収納する。
【００９３】
よって、収納処理時に、複数の収納庫４１（Ａ）〜４１（Ｃ）の収納領域部４８は、カセット５１の一時貯留領域部５７から繰り出された紙幣を識別部３１の識別結果に基づいて収納することになる。その際に、複数の収納庫４１（Ａ）〜４１（Ｃ）の収納領域部４８は、それぞれ、同じ収納庫４１を構成する上方のセパレータ４３が開かれた状態の一時貯留領域部４７を介して紙幣を受け入れて収納することになる。
【００９４】
他方、第１処理の終了後、制御部７１は、この第１処理において識別部３１で識別した紙幣の内訳から、収納庫４１（Ｄ）の一時貯留領域部４７に搬送された紙幣があれば、上記と同様、収納庫４１（Ａ）〜４１（Ｃ）のそれぞれのエレベータ４４上の紙幣を、それぞれの収納領域部４８に収納して、収納庫４１（Ａ）〜４１（Ｃ）を待機状態にするのと並行して、この第１処理における識別部３１の識別結果から割り出される、収納庫４１（Ｄ）の一時貯留領域部４７に一時貯留されている紙幣の内訳に応じて、以下の第２，第３処理を行う。
【００９５】
収納庫４１（Ｄ）の一時貯留領域部４７に一時貯留されている紙幣が、収納リジェクト紙幣を含んでおらず、収納庫４１（Ｄ）の収納領域部４８に収納すべき紙幣のみである場合、つまり第４種の収納正常紙幣のみである場合は、第２処理を行う。第２処理では、制御部７１は、収納庫４１（Ｄ）について、エレベータ４４を、収納庫４１（Ｄ）の一時貯留領域部４７から紙幣を受け入れて集積可能な位置まで上昇させて、貯留収納受入状態とし、セパレータ４３を開状態として、このセパレータ４３上にあった紙幣、すなわち収納庫４１（Ｄ）の一時貯留領域部４７に一時貯留していた、第４種の収納正常紙幣を、図４に太実線で示すように、収納庫４１（Ｄ）のエレベータ４４上に集積させる。その後、収納庫４１（Ｄ）を待機状態に戻すことで、収納庫４１（Ｄ）のエレベータ４４上の紙幣を収納庫４１（Ｄ）の収納領域部４８に収納して、第１，第２処理を含む収納処理を終了する。
【００９６】
よって、収納処理時に、収納庫４１（Ｄ）の収納領域部４８も、カセット５１の一時貯留領域部５７から繰り出された紙幣を識別部３１の識別結果に基づいて収納することになる。その際に、収納庫４１（Ｄ）の収納領域部４８も、同じ収納庫４１（Ｄ）を構成する上方の、セパレータ４３が開かれた状態の一時貯留領域部４７を介して紙幣を受け入れて収納することになる。
【００９７】
収納庫４１（Ｄ）の一時貯留領域部４７に一時貯留されている紙幣が、収納リジェクト紙幣を含む場合は、収納リジェクト紙幣をカセット５１の収納領域部５８に収納する第３処理を行う。第３処理では、制御部７１は、まず、カセット５１を、セパレータ５３が閉状態で待機位置にある待機状態としたまま、収納庫４１（Ｄ）について、セパレータ４３を上昇させて、このセパレータ４３上の最上位置の紙幣を取込繰出部４２の蹴出ローラ４２ａに当接させて貯留紙幣繰出状態とする。それとともに、制御部７１は、搬送部６１を駆動し、収納庫４１（Ｄ）の取込繰出部４２とカセット５１の取込繰出部５２とを駆動する。
【００９８】
すると、収納庫４１（Ｄ）の取込繰出部４２が、収納庫４１（Ｄ）の一時貯留領域部４７のセパレータ４３上に載置されている紙幣を最上位置のものから蹴出ローラ４２ａで蹴り出し繰出ローラ４２ｂおよび分離ローラ４２ｃで一枚ずつに分離しつつ所定の間隔をあけて繰り出すことになり、繰り出した紙幣を、図５に太実線で示すように、搬送路６１Ｆ，６１Ａ，６１Ｇ，６１Ａで、カセット５１の一時貯留領域部５７に搬送する。これにより、カセット５１が、その取込繰出部５２によって、一時貯留領域部５７の閉状態で待機位置にあるセパレータ５３上に紙幣を集積させることになる。その際に、制御部７１は、カセット５１の一時貯留領域部５７の紙幣の貯留量を監視しており、セパレータ５３を閉状態のまま紙幣の貯留量に応じた量下降させることになる。
【００９９】
このようにして、収納庫４１（Ｄ）の一時貯留領域部４７の紙幣がなくなり、この一時貯留領域部４７に一時貯留していたすべての紙幣を、カセット５１の一時貯留領域部５７に一時貯留すると、次に、制御部７１は、収納庫４１（Ａ）〜４１（Ｄ）のうち、収納庫４１（Ｄ）以外の、収納庫４１（Ａ）〜４１（Ｃ）のいずれか一つの一時貯留領域部４７を収納リジェクト紙幣の一時貯留先として設定する。ここでは、カセット５１から繰り出した紙幣を搬送距離的に最も短い距離で搬送できる収納庫４１（Ａ）の一時貯留領域部４７を収納リジェクト紙幣の一時貯留先として設定する。
【０１００】
そして、制御部７１は、カセット５１について、セパレータ５３を上昇させて、このセパレータ５３上の最上位置の紙幣を取込繰出部５２の蹴出ローラ５２ａに当接させて貯留紙幣繰出状態とする。また、収納庫４１（Ｄ）について、セパレータ４３を開状態とし、エレベータ４４を、取込繰出部４２が取り込んだ紙幣を受け入れて集積可能な位置まで上昇させて直収納受入状態とする。それとともに、制御部７１は、搬送部６１を駆動し、カセット５１の取込繰出部５２と収納庫４１（Ａ），４１（Ｄ）の取込繰出部４２とを駆動する。
【０１０１】
すると、カセット５１の取込繰出部５２が、カセット５１の一時貯留領域部５７のセパレータ５３上に載置されている紙幣を最上位置のものから蹴出ローラ５２ａで蹴り出し繰出ローラ５２ｂおよび分離ローラ５２ｃで一枚ずつに分離しつつ所定の間隔をあけて繰り出すことになり、識別部３１の識別結果に基づいて、紙幣のうちの収納庫４１（Ｄ）の収納領域部４８に収納すべき紙幣を、図６に太実線で示すように、搬送路６１Ａ，６１Ｇ，６１Ａ，６１Ｆで、収納庫４１（Ｄ）に搬送する。これにより、収納庫４１（Ｄ）が、その取込繰出部４２によって、紙幣を、エレベータ４４上に集積させることになる。その際に、制御部７１は、収納庫４１（Ｄ）の紙幣量を監視しており、エレベータ４４を紙幣量に応じた量下降させることになる。
【０１０２】
他方で、紙幣のうちの収納リジェクト紙幣を、図６に太実線から太破線で示すように、搬送路６１Ａ，６１Ｇ，６１Ａ，６１Ｃで、待機状態にある収納庫４１（Ａ）に搬送する。これにより、収納庫４１（Ａ）が、その取込繰出部４２によって、紙幣を、一時貯留領域部４７の閉状態のセパレータ４３上に集積させることになる。その際に、制御部７１は、収納庫４１（Ａ）の一時貯留領域部４７の紙幣の貯留量を監視しており、そのセパレータ４３を紙幣の貯留量に応じた量下降させることになる。
【０１０３】
なお、このときの収納リジェクト紙幣には、第１処理での識別の後の再度の識別となる、この第３処理の識別部３１の識別で、収納庫４１（Ａ）〜４１（Ｃ）に収納すべき第１〜第３種の収納正常紙幣と識別された紙幣も含まれることになる。すなわち、第１処理で一旦収納リジェクト紙幣と識別された搬送異常紙幣が、第３処理で正常搬送となって識別部３１で識別される場合もあるが、収納庫４１（Ｄ）の収納領域部４８に収納すべき収納正常紙幣以外は、収納リジェクト紙幣として収納庫４１（Ａ）の一時貯留領域部４７に一時貯留する。
【０１０４】
ここで、カセット５１の一時貯留領域部５７の紙幣の繰り出しに当たって、収納庫４１（Ｂ），４１（Ｃ）を、それぞれ、エレベータ４４上に紙幣を集積可能な直収納受入状態としておき、第３処理における識別部３１の識別で、収納庫４１（Ｂ）に収納すべき第２種の収納正常紙幣と識別された紙幣を収納庫４１（Ｂ）のエレベータ４４上に、収納庫４１（Ｃ）に収納すべき第３種の収納正常紙幣と識別された紙幣を収納庫４１（Ｃ）のエレベータ４４上に、それぞれ集積させて、収納庫４１（Ｂ），４１（Ｃ）の収納領域部４８に収納するようにしても良い。
【０１０５】
第３処理において、カセット５１の一時貯留領域部５７のセパレータ５３上の紙幣がなくなり、この一時貯留領域部５７に一時貯留していたすべての紙幣を、収納庫４１（Ｄ）あるいは収納庫４１（Ａ）に搬送すると、制御部７１は、収納庫４１（Ｄ）を待機状態に戻すことで、収納庫４１（Ｄ）のエレベータ４４上の紙幣を収納領域部４８に収納する。
【０１０６】
以上により、第１処理後の第３処理でカセット５１の一時貯留領域部５７に戻された紙幣のうち、収納庫４１（Ｄ）の収納領域部４８に収納すべき収納正常紙幣を、この収納領域部４８に収納する一方、第１処理において複数の収納庫４１（Ａ）〜４１（Ｄ）の収納領域部４８に収納不可と識別された収納リジェクト紙幣を、収納庫４１（Ｄ）の収納領域部４８以外の収納庫４１（Ａ）の収納領域部４８の上方の、セパレータ４３が閉状態の一時貯留領域部４７に一時貯留する。収納庫４１（Ｄ）の収納領域部４８は、上方の、セパレータ４３が開かれた状態の一時貯留領域部４７を介して紙幣を受け入れて収納する。
【０１０７】
次に、制御部７１は、収納庫４１（Ａ）について、一時貯留領域部４７の底部のセパレータ４３を上昇させて、このセパレータ４３上の最上位置の紙幣を取込繰出部４２の蹴出ローラ４２ａに当接させる貯留紙幣繰出状態とする。また、カセット５１について、一時貯留領域部５７の底部のセパレータ５３を開状態とし、収納領域部５８の底部のエレベータ５４を、エレベータ５４上の紙幣の収納量に応じて、取込繰出部５２が取り込んだ紙幣を受け入れて集積可能な位置まで上昇させて直収納受入状態とする。それとともに、制御部７１は、搬送部６１を駆動し、カセット５１の取込繰出部５２と収納庫４１（Ａ）の取込繰出部４２とを駆動する。
【０１０８】
すると、収納庫４１（Ａ）の取込繰出部４２が、収納庫４１（Ａ）のセパレータ４３上に載置されている紙幣を最上位置のものから蹴出ローラ４２ａで蹴り出し繰出ローラ４２ｂおよび分離ローラ４２ｃで一枚ずつに分離しつつ所定の間隔をあけて繰り出すことになり、繰り出された収納リジェクト紙幣を、図７に太実線で示すように、搬送路６１Ｃ，６１Ａ，６１Ｇ，６１Ａで、カセット５１に搬送する。これにより、カセット５１が、その取込繰出部５２によって、紙幣を、セパレータ５３が開状態の一時貯留領域部５７を介してエレベータ５４上に集積させることになる。その際に、制御部７１は、カセット５１の紙幣量を監視しており、エレベータ５４を紙幣量に応じた量下降させることになる。
【０１０９】
このようにして、収納庫４１（Ａ）の一時貯留領域部４７のセパレータ４３上の紙幣がなくなり、この一時貯留領域部４７に一時貯留していたすべての収納リジェクト紙幣を、カセット５１に搬送すると、制御部７１は、収納庫４１（Ａ）およびカセット５１を待機状態に戻す。これにより、エレベータ５４上の収納リジェクト紙幣をカセット５１の収納領域部５８に収納して、第１，第３処理を含む収納処理を終了する。
【０１１０】
以上により、第３処理では、第１処理後、収納庫４１（Ｄ）の一時貯留領域部４７からカセット５１の一時貯留領域部５７に戻された紙幣のうち、収納庫４１（Ｄ）の収納領域部４８に収納すべき収納正常紙幣を、収納庫４１（Ｄ）の収納領域部４８に収納する一方、収納リジェクト紙幣を収納庫４１（Ａ）の一時貯留領域部４７に一時貯留させた後、セパレータ５３が開状態の一時貯留領域部５７を介してカセット５１の収納領域部５８に収納する。カセット５１の収納領域部５８は、上方の、セパレータ５３が開かれた状態の一時貯留領域部５７を介して紙幣を受け入れて収納する。
【０１１１】
紙幣処理機１１は、収納処理時に複数の収納庫４１（Ａ）〜４１（Ｄ）に収納不可と識別された収納リジェクト紙幣を収納する部位が、カセット５１の下部の収納領域部５８以外には設けられていない。
【０１１２】
なお、第１処理の終了時に、識別部３１で識別した紙幣の内訳から、収納庫４１（Ｄ）の一時貯留領域部４７に搬送された紙幣が、カセット５１の収納領域部５８に収納すべき収納リジェクト紙幣のみである場合、第３処理にかえて以下の第４処理を行うようにしても良い。
【０１１３】
第４処理では、制御部７１は、カセット５１について、セパレータ５３を開状態とした後、エレベータ５４を、取込繰出部５２で取り込まれた紙幣を受け入れて集積可能な位置まで上昇させて直収納受入状態とするとともに、収納庫４１（Ｄ）について、一時貯留領域部４７のセパレータ４３を上昇させて、このセパレータ４３上の最上位置の紙幣を取込繰出部４２の蹴出ローラ４２ａに当接させる貯留紙幣繰出状態とする。それとともに、制御部７１は、搬送部６１を駆動し、収納庫４１（Ｄ）の取込繰出部４２とカセット５１の取込繰出部５２とを駆動する。
【０１１４】
すると、収納庫４１（Ｄ）の取込繰出部４２が、収納庫４１（Ｄ）の一時貯留領域部４７のセパレータ４３上に載置されている紙幣を最上位置のものから一枚ずつに分離しつつ所定の間隔をあけて繰り出すことになり、繰り出した紙幣を、図８に太実線で示すように、搬送路６１Ｆ，６１Ａ，６１Ｇ，６１Ａで、カセット５１に搬送する。これにより、カセット５１が、その取込繰出部５２によって、紙幣をエレベータ５４上に集積させることになる。その際に、制御部７１は、カセット５１の紙幣量を監視しており、エレベータ５４をこの紙幣量に応じた量下降させることになる。
【０１１５】
このようにして、収納庫４１（Ｄ）の一時貯留領域部４７の紙幣がなくなり、この一時貯留領域部４７に一時貯留していたすべての紙幣を、カセット５１のエレベータ５４上に集積させると、制御部７１は、収納庫４１（Ｄ）およびカセット５１を待機状態に戻すことで、カセット５１のエレベータ５４上の紙幣を、カセット５１の収納領域部５８に収納して、第１，第４処理を含む収納処理を終了する。
【０１１６】
なお、収納処理の上記した第１処理中に、収納庫４１（Ａ）〜４１（Ｄ）のうち、収納リジェクト紙幣の一時貯留先として設定された収納庫４１、具体的には収納庫４１（Ｄ）の一時貯留領域部４７が満杯状態になった場合、制御部７１は、カセット５１の一時貯留領域部５７からの紙幣の繰り出しを一旦停止させる。そして、それまでの識別部３１の識別結果に基づいて、収納庫４１（Ｄ）の一時貯留領域部４７に貯留されている紙幣に収納リジェクト紙幣が含まれているか否かを判定する。
【０１１７】
収納リジェクト紙幣が含まれていなければ、第２処理を行って、図４に太実線で示すように、収納庫４１（Ｄ）の一時貯留領域部４７に満杯に貯留していた第４種の収納正常紙幣を、収納庫４１（Ｄ）の収納領域部４８に収納する。すなわち、収納庫４１（Ｄ）について、そのエレベータ４４を、一時貯留領域部４７からの紙幣を受け入れ可能な位置まで上昇させて貯留収納受入状態とし、この状態で、一時貯留領域部４７のセパレータ４３を開く。これにより、収納庫４１（Ｄ）は、一時貯留領域部４７のセパレータ４３上に貯留していた第４種の収納正常紙幣を、エレベータ４４上に集積させる。その後、収納庫４１（Ｄ）を待機状態に戻すことで、エレベータ４４上の紙幣を収納庫４１（Ｄ）の収納領域部４８に収納して、第１処理を再開する。
【０１１８】
他方、収納庫４１（Ｄ）の一時貯留領域部４７に貯留されている満杯状態の紙幣に収納リジェクト紙幣が含まれている場合、操作表示部７０を介して第１満杯解消処理が選択されると、制御部７１は、以下の制御を行う。
【０１１９】
制御部７１は、第１満杯解消処理の開始に当たって、収納庫４１（Ａ）〜４１（Ｃ）を待機状態に戻した後、操作表示部７０に、収納庫４１（Ｄ）の一時貯留領域部４７の紙幣の取り出しを促す表示を表示させる。これを見た操作者は、収納庫４１（Ａ）〜４１（Ｄ）のロック解除操作を行って機体１０から収納庫４１（Ａ）〜４１（Ｄ）を一体に引き出し、収納庫４１（Ｄ）の一時貯留領域部４７を開いて紙幣を取り出し、収納庫４１（Ａ）〜４１（Ｄ）を一体に機体１０に押し込む。操作者が取り出した紙幣は、第４種の収納正常紙幣と、収納リジェクト紙幣とからなる。制御部７１は、機体１０に押し込まれた収納庫４１（Ｄ）の一時貯留領域部４７に紙幣がないことを図示略のセンサが検知すると、収納庫４１（Ａ）〜４１（Ｃ）を、エレベータ４４上に紙幣を集積可能な直収納受入状態とし、収納庫４１（Ｄ）を一時貯留領域部５７のセパレータ４３上に紙幣を集積可能な待機状態として、第１処理を再開する。
【０１２０】
そして、収納庫４１（Ｄ）の一時貯留領域部４７の紙幣の取り出し後に再開した第１処理が終了すると、取り出し後に収納庫４１（Ｄ）の一時貯留領域部４７に一時貯留された紙幣の内訳に応じて、この一時貯留領域部４７に紙幣がある場合、その中に収納リジェクト紙幣が含まれていなければ第２処理を行い、その中に収納リジェクト紙幣が含まれていれば第３処理を行う。
【０１２１】
再開した第１処理の終了時点で、収納庫４１（Ｄ）の一時貯留領域部４７に紙幣がない場合と、再開した第１処理後に実行された第２処理あるいは第３処理によって収納庫４１（Ｄ）の一時貯留領域部４７に紙幣がなくなった場合とについて、制御部７１は、この第１満杯解消処理において収納庫４１（Ｄ）の一時貯留領域部４７から外部に取り出した、第４種の収納正常紙幣および収納リジェクト紙幣の入金部２０への投入を促す表示を操作表示部７０に表示させて、入金部２０のシャッタを開く。
【０１２２】
そして、入金部２０に紙幣が投入されたことを検知すると、制御部７１は、入金繰出部２４と、収納庫４１（Ｄ）の取込繰出部４２と、搬送部６１とを駆動する。これにより、入金部２０の紙幣を、入金繰出部２４が一枚ずつに分離して繰り出し、搬送路６１Ａ，６１Ｆが、待機状態にある収納庫４１（Ｄ）の一時貯留領域部４７に搬送する。そして、入金部２０の紙幣がすべて収納庫４１（Ｄ）の一時貯留領域部４７に一時貯留されると、その際の識別部３１の識別結果に基づいて、収納庫４１（Ｄ）の一時貯留領域部４７に一時貯留した紙幣の中に収納リジェクト紙幣が含まれていなければ、第２処理を行って第４種の収納正常紙幣を収納庫４１（Ｄ）の収納領域部４８に収納して第１満杯解消処理を終了し、収納リジェクト紙幣が含まれていれば第３処理を行って、収納リジェクト紙幣をカセット５１の収納領域部５８に、第４種の収納正常紙幣を収納庫４１（Ｄ）の収納領域部４８に収納して第１満杯解消処理を終了する。
【０１２３】
なお、第１満杯解消処理においても、一旦収納リジェクト紙幣と識別されて外部に取り出された紙幣が、入金部２０から収納庫４１（Ｄ）の一時貯留領域部４７への搬送中に、識別部３１で収納正常紙幣と識別される可能性があるが、収納庫４１（Ｄ）の収納領域部４８に収納すべき第４種の収納正常紙幣以外は、収納リジェクト紙幣として収納庫４１（Ｄ）の一時貯留領域部４７に一時貯留する。勿論、入金部２０の紙幣の繰り出しに当たって、収納庫４１（Ａ），４１（Ｂ），４１（Ｃ）を、それぞれ、エレベータ４４上に紙幣を集積可能な直収納受入状態としておき、識別部３１の識別結果に基づいて、第１種の収納正常紙幣を収納庫４１（Ａ）のエレベータ４４上に、第２種の収納正常紙幣を収納庫４１（Ｂ）のエレベータ４４上に、第３種の収納正常紙幣を収納庫４１（Ｃ）のエレベータ４４上に、それぞれ集積させて、収納庫４１（Ａ），４１（Ｂ），４１（Ｃ）の収納領域部４８に収納するようにしても良い。
【０１２４】
第１処理中に満杯となった収納庫４１（Ｄ）の一時貯留領域部４７に貯留されている紙幣に収納リジェクト紙幣が含まれている場合、操作表示部７０を介して第２満杯解消処理が選択されると、制御部７１は、以下の制御を行う。
【０１２５】
制御部７１は、第２満杯解消処理の開始に当たって、カセット５１について、閉状態のセパレータ５３を、取込繰出部５２が取り込んだ紙幣を受け入れ可能な高さにして待機状態に戻すとともに、収納庫４１（Ａ）〜４１（Ｃ）も待機状態に戻す。その後、収納庫４１（Ｄ）について、閉状態のセパレータ４３を上昇させて、このセパレータ４３上の最上位置の紙幣を取込繰出部４２の蹴出ローラ４２ａに当接させる貯留紙幣繰出状態とする。それとともに、制御部７１は、搬送部６１を駆動し、収納庫４１（Ｄ）の取込繰出部４２とカセット５１の取込繰出部５２とを駆動する。
【０１２６】
すると、収納庫４１（Ｄ）の取込繰出部４２が、収納庫４１（Ｄ）の一時貯留領域部４７のセパレータ４３上に載置されている紙幣を最上位置のものから一枚ずつに分離しつつ所定の間隔をあけて繰り出すことになり、繰り出した紙幣を、図９に太実線で示すように、搬送路６１Ｆ，６１Ａ，６１Ｇ，６１Ａで、カセット５１の一時貯留領域部５７に搬送する。これにより、カセット５１が、その取込繰出部５２によって、一時貯留領域部５７の閉状態のセパレータ５３上に紙幣を集積させることになる。その際に、制御部７１は、カセット５１の一時貯留領域部５７の紙幣の貯留量を監視しており、セパレータ５３を閉状態のまま紙幣の貯留量に応じた量下降させることになる。
【０１２７】
このようにして、収納庫４１（Ｄ）の一時貯留領域部４７に満杯状態にあった、収納リジェクト紙幣を含む紙幣をすべてカセット５１の一時貯留領域部５７に搬送する。ここで、収納庫４１（Ｄ）の一時貯留領域部４７が満杯状態となった時点で、カセット５１の一時貯留領域部５７は、入金処理で一時貯留した紙幣の繰り出しを一旦停止させており、これにより、一時貯留領域部５７には、第１処理で繰り出される前の、入金処理で一時貯留した紙幣が金種混合状態で残っている。よって、一時貯留領域部５７には、第１処理で繰り出される前の紙幣の上に、収納庫４１（Ｄ）の一時貯留領域部４７を満杯としていた、収納リジェクト紙幣を含む紙幣が戻されて集積される。
【０１２８】
次に、制御部７１は、収納庫４１（Ｄ）について、セパレータ４３を開状態とし、エレベータ４４を、取込繰出部４２が取り込んだ紙幣を受け入れて集積可能な位置まで上昇させて直収納受入状態とするとともに、カセット５１について、一時貯留領域部５７のセパレータ５３を上昇させてセパレータ５３上の最上位置の紙幣を取込繰出部５２の蹴出ローラ５２ａに当接させる貯留紙幣繰出状態とする。そして、制御部７１は、取込繰出部５２、搬送部６１および収納庫４１（Ａ）〜４１（Ｄ）の取込繰出部４２を駆動する。
【０１２９】
すると、カセット５１の取込繰出部５２が、一時貯留領域部５７のセパレータ５３上に載置されている紙幣を最上位置のものから一枚ずつに分離しつつ所定の間隔をあけて繰り出すことになり、繰り出した紙幣を、図１０に太実線で示すように、搬送路６１Ａ，６１Ｇ，６１Ａで識別部３１に搬送し、識別部３１で識別する。そして、制御部７１は、識別部３１の識別結果から、収納庫４１（Ｄ）の収納領域部４８に収納する第４種の収納正常紙幣を、図１０に太実線で示すように、搬送路６１Ａ，６１Ｆによって、収納庫４１（Ｄ）に搬送する。これにより、カセット５１の一時貯留領域部５７に戻された紙幣に含まれている第４種の収納正常紙幣を、収納庫４１（Ｄ）のエレベータ４４上に集積させる。
【０１３０】
また、制御部７１は、識別部３１で収納リジェクト紙幣と識別された紙幣を、図１０に太実線から太破線で示すように、搬送路６１Ａ，６１Ｃによって、収納庫４１（Ａ）に搬送する。これにより、カセット５１の一時貯留領域部５７に戻された紙幣に含まれていた収納リジェクト紙幣を、収納庫４１（Ａ）の一時貯留領域部４７のセパレータ４３上に集積させる。
【０１３１】
ここで、制御部７１は、収納庫４１（Ａ）のセパレータ４３上の一時貯留領域部４７が満杯状態になると、その後は、識別部３１で収納リジェクト紙幣と識別された紙幣を、図１０に太実線から太一点鎖線で示すように、搬送路６１Ａ，６１Ｄによって、収納庫４１（Ｂ）に搬送する。これにより、収納庫４１（Ａ）の一時貯留領域部４７が満杯となった後は、収納リジェクト紙幣を、収納庫４１（Ｂ）の一時貯留領域部４７のセパレータ４３上に集積させることになる。
【０１３２】
また、制御部７１は、識別部３１で、収納庫４１（Ａ）〜４１（Ｃ）の収納領域部４８に収納される第１〜第３種の収納正常紙幣と識別された紙幣を、図１０に太実線から太二点鎖線で示すように、搬送路６１Ａ，６１Ｅによって、収納庫４１（Ｃ）に搬送する。これにより、第１〜第３種の収納正常紙幣を、収納庫４１（Ｃ）の一時貯留領域部４７のセパレータ４３上に集積させる。
【０１３３】
このときの第１〜第３種の収納正常紙幣は、収納処理の第１処理において一旦、収納庫４１（Ａ）〜４１（Ｃ）の収納領域部４８に収納不可な収納リジェクト紙幣と識別されて収納庫４１（Ｄ）の一時貯留領域部４７に貯留された紙幣が、カセット５１の一時貯留領域部５７に戻された後、一時貯留領域部５７から再度繰り出されて、識別部３１で再度識別される際に、収納正常紙幣と識別された紙幣を含んでいる。
【０１３４】
すなわち、紙幣処理機１１は、収納処理の第１処理時に、カセット５１の一時貯留領域部５７から繰り出された紙幣のうち、識別部３１で複数の収納庫４１（Ａ）〜４１（Ｄ）の収納領域部４８に収納不可と識別された紙幣を、所定の収納庫４１（Ｄ）の収納領域部４８の上方のセパレータ４３が閉状態の収納庫４１（Ｄ）の一時貯留領域部４７に、この収納庫４１（Ｄ）の収納領域部４８に収納すべき紙幣とともに一時貯留し、この収納庫４１（Ｄ）の一時貯留領域部４７から紙幣を繰り出してカセット５１の一時貯留領域部５７に戻し、再度、カセット５１の一時貯留領域部５７から繰り出して識別部３１で識別する。
【０１３５】
ここで、制御部７１は、収納処理の第１処理中の識別部３１の識別結果に基づき、この第１処理中に満杯となった収納庫４１（Ｄ）の一時貯留領域部４７からカセット５１の一時貯留領域部５７に戻された紙幣の中に含まれていたすべての第４種の紙幣を、カセット５１の一時貯留領域部５７から繰り出して、収納庫４１（Ｄ）の収納領域部４８に収納するまで、カセット５１の一時貯留領域部５７のセパレータ５３上に載置されている紙幣を繰り出して、収納庫４１（Ｄ）の収納領域部４８および収納庫４１（Ａ）〜４１（Ｃ）のそれぞれの一時貯留領域部４７に振り分ける。これにより、収納処理の第１処理中に満杯となった収納庫４１（Ｄ）の一時貯留領域部４７にあった第４種の紙幣を、収納庫４１（Ｄ）の収納領域部４８に収納することができる。
【０１３６】
その後、制御部７１は、収納庫４１（Ａ）〜４１（Ｃ）について、それぞれのセパレータ４３を上昇させて貯留紙幣繰出状態とし、それぞれの一時貯留領域部４７に貯留された紙幣を、図１１に太実線で示すように、それぞれの取込繰出部４２と、搬送路６１Ｃ，６１Ｄ，６１Ｅ，６１Ａ，６１Ｇ，６１Ａと、カセット５１の取込繰出部５２とによって、すべて、カセット５１の一時貯留領域部５７に戻し、セパレータ５３上に集積させる。
【０１３７】
このとき、まず、収納庫４１（Ａ）の一時貯留領域部４７のセパレータ４３上に載置されている紙幣をカセット５１の一時貯留領域部５７に戻し、次に、収納庫４１（Ｂ）の一時貯留領域部４７のセパレータ４３上に載置されている紙幣をカセット５１の一時貯留領域部５７に戻し、最後に、収納庫４１（Ｃ）の一時貯留領域部４７のセパレータ４３上に載置されている紙幣をカセット５１の一時貯留領域部５７に戻す。その後、収納庫４１（Ａ）〜４１（Ｃ）について、それぞれのエレベータ４４上に紙幣を受け入れて集積可能な直収納受入状態とし、収納庫４１（Ｄ）を、セパレータ４３上に紙幣を受け入れて集積可能な待機状態に戻して第２満杯解消処理を終了し、第１処理を再開する。
【０１３８】
この第１処理の再開時点では、第２満杯解消処理開始時点で収納庫４１（Ｄ）の一時貯留領域部４７を満杯にしていた紙幣から、収納庫４１（Ｄ）の収納領域部４８に収納すべき第４種の収納正常紙幣を収納庫４１（Ｄ）の収納領域部４８に収納して減らし、残りの紙幣がカセット５１の一時貯留領域部５７に戻された状態となっているため、第１処理の再開後すぐに収納庫４１（Ｄ）の一時貯留領域部４７が満杯になることはない。また、収納リジェクト紙幣の中には、第１処理の再開により、カセット５１の一時貯留領域部５７から繰り出されて再度識別部３１で識別されることで、収納正常紙幣と識別されるものもあるため、この点からも、第１処理の再開後すぐに収納庫４１（Ｄ）の一時貯留領域部４７が満杯になることはない。
【０１３９】
以上の第２満杯解消処理は、機体１０からの収納庫４１（Ａ）〜４１（Ｄ）の引き出し、紙幣の取り出し、収納庫４１（Ａ）〜４１（Ｄ）の押し込み、取り出した紙幣の入金部２０への投入等を必要とする第１満杯解消処理よりも満杯解消が容易となる。また、紙幣を機外に取り出さずに済むため、セキュリティ上も好ましい。
【０１４０】
ここで、第２満杯解消処理では、上記したように、第１処理の識別部３１の識別結果に基づいて割り出される、第１処理中に満杯となった収納庫４１（Ｄ）の一時貯留領域部４７からカセット５１の一時貯留領域部５７に戻された紙幣の中に含まれていたすべての第４種の収納正常紙幣を、識別部３１で識別および計数して、収納庫４１（Ｄ）の収納領域部４８に収納するまで、カセット５１の一時貯留領域部５７のセパレータ５３上に載置されている紙幣を、収納庫４１（Ｄ）の収納領域部４８および収納庫４１（Ａ）〜４１（Ｃ）のそれぞれの一時貯留領域部４７に振り分ける。その際に、収納庫４１（Ｃ）の一時貯留領域部４７が満杯状態になったり、収納庫４１（Ｂ）の一時貯留領域部４７が満杯状態になったり、収納庫４１（Ｄ）の収納領域部４８が満杯状態になったりすることがある。これは、収納庫４１（Ａ）〜４１（Ｄ）のそれぞれの一時貯留領域部４７の容量が、それぞれの収納領域部４８に収納している紙幣量に応じて異なること等による。
【０１４１】
第１〜第３種の収納正常紙幣を貯留する収納庫４１（Ｃ）の一時貯留領域部４７が満杯状態になると、制御部７１は、カセット５１の一時貯留領域部５７からの紙幣の繰り出しを停止させて、収納庫４１（Ａ）の一時貯留領域部４７が満杯状態にあるか否かを判定する。収納庫４１（Ａ）の一時貯留領域部４７が満杯状態にあれば、収納リジェクト紙幣が多いと判定し、カセット５１の一時貯留領域部５７のセパレータ５３を紙幣の受け入れを可能な状態とし、収納庫４１（Ｃ）について、一時貯留領域部４７のセパレータ４３を紙幣の繰り出しが可能な貯留紙幣繰出状態として、図１２に太実線で示すように、収納庫４１（Ｃ）の一時貯留領域部４７のセパレータ４３上にある第１〜第３種のすべての収納正常紙幣を、搬送路６１Ｅ，６１Ａ，６１Ｇ，６１Ａを介して、カセット５１の一時貯留領域部５７に搬送して、そのセパレータ５３上の第１処理でカセット５１から繰り出されていない紙幣の上に集積させる。
【０１４２】
その後、収納庫４１（Ｄ）を待機状態に戻した後、操作表示部７０に、収納庫４１（Ａ），４１（Ｂ）の一時貯留領域部４７の紙幣の取り出しを促す表示を表示させる。これを見た操作者は、収納庫４１（Ａ）〜４１（Ｄ）のロック解除操作を行って機体１０から収納庫４１（Ａ）〜４１（Ｄ）を一体に引き出し、収納庫４１（Ａ），４１（Ｂ）の一時貯留領域部４７の収納リジェクト紙幣を取り出して、収納庫４１（Ａ）〜４１（Ｄ）を機体１０に押し込む。制御部７１は、収納庫４１（Ａ），４１（Ｂ）の一時貯留領域部４７に紙幣がないことを図示略のセンサが検知すると、収納庫４１（Ａ）〜４１（Ｄ）のいずれの一時貯留領域部４７にも紙幣がない状態となるため、第１処理を再開することになる。
【０１４３】
他方、制御部７１は、収納庫４１（Ａ）の一時貯留領域部４７が満杯状態になければ、収納庫（Ｂ）は空の状態であるため、収納リジェクト紙幣は少ないと判定する。この場合、制御部７１は、収納庫４１（Ｄ）を待機状態に戻し、カセット５１の一時貯留領域部５７のセパレータ５３を紙幣の受け入れを可能な状態とし、収納庫４１（Ａ）〜４１（Ｃ）の一時貯留領域部４７のセパレータ４３を紙幣の繰り出しが可能な貯留紙幣繰出状態として、まず、図１３に太実線で示すように、収納庫４１（Ａ）の一時貯留領域部４７にあるすべての収納リジェクト紙幣を、搬送路６１Ｃ，６１Ａ，６１Ｇ，６１Ａを介して、カセット５１の一時貯留領域部５７に搬送して、セパレータ５３上に集積させる。
【０１４４】
次に、図１３に太破線から太実線で示すように、収納庫４１（Ｃ）の一時貯留領域部４７にあるすべての収納正常紙幣を、搬送路６１Ｅ，６１Ａ，６１Ｇ，６１Ａを介して、カセット５１の一時貯留領域部５７に搬送して、そのセパレータ５３上に集積させる。すると、カセット５１の一時貯留領域部５７には、セパレータ５３上に、第１処理でカセット５１から繰り出されていない紙幣が、その上に収納庫４１（Ａ）の一時貯留領域部４７から戻された収納リジェクト紙幣が、その上に収納庫４１（Ｃ）の一時貯留領域部４７から戻された第１〜第３種の収納正常紙幣が集積されることになる。これにより、収納庫４１（Ａ）〜４１（Ｄ）のいずれの一時貯留領域部４７にも紙幣がない状態となるため、第１処理を再開することになる。
【０１４５】
また、第２満杯解消処理中に、収納庫４１（Ｂ）の一時貯留領域部４７が満杯状態になる、すなわち収納庫４１（Ａ），４１（Ｂ）の両方が満杯状態になると、制御部７１は、収納リジェクト紙幣が多いと判定し、カセット５１の一時貯留領域部５７のセパレータ５３を紙幣の受け入れが可能な状態とし、収納庫４１（Ｃ）の一時貯留領域部４７のセパレータ４３を紙幣の繰り出しが可能な貯留紙幣繰出状態として、図１２に太実線で示すように、収納庫４１（Ｃ）の一時貯留領域部４７にある第１〜第３種のすべての収納正常紙幣を、搬送路６１Ｅ，６１Ａ，６１Ｇ，６１Ａを介して、カセット５１の一時貯留領域部５７に搬送して、そのセパレータ５３上に集積させる。
【０１４６】
その後、収納庫４１（Ｄ）を待機状態に戻した後、操作表示部７０に、収納庫４１（Ａ），４１（Ｂ）の一時貯留領域部４７の紙幣の取り出しを促す表示を表示させる。これを見た操作者は、収納庫４１（Ａ）〜４１（Ｄ）のロック解除操作を行って機体１０から収納庫４１（Ａ）〜４１（Ｄ）を一体に引き出し、収納庫４１（Ａ），４１（Ｂ）の一時貯留領域部４７の収納リジェクト紙幣を取り出して、収納庫４１（Ａ）〜４１（Ｄ）を機体１０に押し込む。制御部７１は、収納庫４１（Ａ），４１（Ｂ）の一時貯留領域部４７の紙幣がないことを図示略のセンサが検知すると、収納庫４１（Ａ）〜４１（Ｄ）のいずれの一時貯留領域部４７にも紙幣がない状態となるため、第１処理を再開することになる。
【０１４７】
また、第２満杯解消処理中に、収納庫４１（Ｄ）の収納領域部４８が満杯状態になると、制御部７１は、カセット５１の一時貯留領域部５７からの紙幣の繰り出しを停止させて、収納庫４１（Ｄ）の収納領域部４８の紙幣を、現在のカセット５１の空のカセット５１への交換を含んで回収する、後述する回収処理を行うように、操作表示部７０に表示させて案内する。交換されたカセット５１に収納庫４１（Ｄ）の収納領域部４８の紙幣を回収後、元のカセット５１への交換を確認すると、第１処理を再開することになる。
【０１４８】
［返却処理］
入金処理後、操作表示部７０への入金キャンセル操作が入力された入金キャンセル時に、制御部７１は、入金を確定せず、すなわち、入金処理にてカセット５１の一時貯留領域部５７に一時貯留した紙幣を管理外のままとし、一時貯留領域部５７に一時貯留した紙幣をすべて、出金返却部２１に繰り出す返却処理を行う。図１４の太線は、この返却処理の紙幣搬送ルートを示している。
【０１４９】
返却処理において、制御部７１は、カセット５１を、一時貯留領域部５７の底部のセパレータ５３を上昇させて、このセパレータ５３上の最上位置の紙幣を取込繰出部５２の蹴出ローラ５２ａに当接させて、貯留紙幣繰出状態とする。それとともに、制御部７１は、搬送部６１を駆動し、カセット５１の取込繰出部５２を駆動する。
【０１５０】
すると、カセット５１の取込繰出部５２が、このカセット５１の一時貯留領域部５７のセパレータ５３上に載置されている紙幣を最上位置のものから一枚ずつに分離しつつ所定の間隔をあけて繰り出すことになり、繰り出した紙幣を、図１４に太実線で示すように、搬送路６１Ａ，６１Ｌで出金返却部２１に搬送する。返却処理の最後に、制御部７１は、出金返却部２１のシャッタを開いて出金返却部２１から紙幣を取り出し可能にする。これにより、この返却処理と一連の入金処理において入金部２０に投入された紙幣のうち、入金処理において出金返却部２１に繰り出された紙幣以外のすべての紙幣が、返却処理において、出金返却部２１に繰り出される。
【０１５１】
［バラ紙幣出金処理］
図１５の太線は、操作表示部７０へ入力されたバラ紙幣出金操作に基づいて、収納庫４１（Ａ）〜４１（Ｄ）の指定された金種のものから紙幣を出金するバラ紙幣出金処理の紙幣搬送ルートを示している。
【０１５２】
バラ紙幣出金処理において、制御部７１は、カセット５１のセパレータ５３を開状態とした後、カセット５１のエレベータ５４を、取込繰出部５２からの紙幣を受け入れて集積可能な位置まで上昇させて直収納受入状態とする。そして、制御部７１は、取込繰出部５２を駆動し、搬送部６１を駆動する。それとともに、入力された金種別の出金枚数に基づき、収納庫４１（Ａ）の収納領域部４８に収納している第１種の紙幣を繰り出す場合、収納庫４１（Ａ）について、セパレータ４３を開作動させた後、収納庫４１（Ａ）のエレベータ４４を上昇させて、このエレベータ４４上の最上位置の紙幣を収納庫４１（Ａ）の取込繰出部４２の蹴出ローラ４２ａに当接させて収納紙幣繰出状態とする。それとともに、この取込繰出部４２を駆動して、収納庫４１（Ａ）のエレベータ４４に載置された紙幣を最上位置のものから一枚ずつに分離しつつ所定の間隔をあけて繰り出す。
【０１５３】
これにより、収納庫４１（Ａ）から繰り出した紙幣を、図１５に太実線で示すように、搬送路６１Ｃ，６１Ａで識別部３１に、入金処理とは逆向きに搬送し、その際の識別部３１の識別結果に基づいて、金種識別不良のない第１種の紙幣で搬送異常のない出金正常紙幣のうち、表裏反転が必要でない出金正常紙幣を、搬送路６１Ａ，６１Ｌでそのまま出金返却部２１に、表裏反転が必要な出金正常紙幣を、搬送路６１Ａから搬送路６１Ｎを介して表裏反転部６３で表裏反転させた後、搬送路６１Ｍ，６１Ｌで出金返却部２１に、それぞれ搬送する。これにより、バラ紙幣出金操作に基づく第１種の出金正常紙幣を出金返却部２１に表裏を取り揃えながら繰り出す。
【０１５４】
なお、出金正常紙幣以外の、搬送異常の紙幣と、金種識別不良を含む第１種以外の紙幣とからなる出金リジェクト紙幣については、図１５に太実線から太破線で示すように、搬送路６１Ａ，６１Ｇ，６１Ａによってカセット５１に搬送する。これにより、カセット５１が、その取込繰出部５２によって、出金リジェクト紙幣を、エレベータ５４上に集積させることになる。その際に、制御部７１は、カセット５１の紙幣の収納量を監視しており、エレベータ５４を紙幣の収納量に応じた量下降させることになる。出金リジェクト紙幣も、紙幣処理機１１の管理下での移動時に発生した管理下リジェクト紙幣である。
【０１５５】
また、バラ出金処理において、収納庫４１（Ｂ）の収納領域部４８に収納している第２種の紙幣を繰り出す場合、制御部７１は、同様にして、収納庫４１（Ｂ）について、セパレータ４３を開作動させた後、エレベータ４４を上昇させて収納紙幣繰出状態とし、このエレベータ４４に載置された紙幣を最上位置のものから順に取込繰出部４２で繰り出させて搬送路６１Ｄ，６１Ａで識別部３１に搬送することになり、識別部３１の識別結果に基づいて、第２種の出金正常紙幣は搬送路６１Ａ，６１Ｌあるいは搬送路６１Ａ，６１Ｎ，６１Ｍ，６１Ｌで、表裏を取り揃えながら出金返却部２１に搬送し、出金リジェクト紙幣は搬送路６１Ａ，６１Ｇ，６１Ａによってカセット５１のエレベータ５４上に集積させる。
【０１５６】
また、バラ出金処理において、収納庫４１（Ｃ）の収納領域部４８に収納している第３種の紙幣を繰り出す場合、制御部７１は、同様にして、収納庫４１（Ｃ）について、セパレータ４３を開作動させた後、エレベータ４４を上昇させて収納紙幣繰出状態とし、このエレベータ４４に載置された紙幣を最上位置のものから順に取込繰出部４２で繰り出させて搬送路６１Ｅ，６１Ａで識別部３１に搬送することになり、識別部３１の識別結果に基づいて、第３種の出金正常紙幣は搬送路６１Ａ，６１Ｌあるいは搬送路６１Ａ，６１Ｎ，６１Ｍ，６１Ｌで、表裏を取り揃えながら出金返却部２１に搬送し、出金リジェクト紙幣は搬送路６１Ａ，６１Ｇ，６１Ａによってカセット５１のエレベータ５４上に集積させる。
【０１５７】
なお、バラ出金処理では、収納庫４１（Ｄ）の収納領域部４８に収納している紙幣を出金返却部２１に繰り出すことはない。
【０１５８】
以上のようにして、入力された金種別の出金枚数の出金正常紙幣を、金種別に、表裏を取り揃えながら出金返却部２１に繰り出す。バラ紙幣出金処理の最後に、制御部７１は、収納庫４１（Ａ）〜４１（Ｄ）およびカセット５１を待機状態に戻して、収納庫４１（Ａ）〜４１（Ｄ）の紙幣を、それぞれの収納領域部４８に収納し、カセット５１の紙幣を、その収納領域部５８に収納する。すなわち、この場合も、カセット５１の収納領域部５８は、上方の、セパレータ５３が開かれた状態の一時貯留領域部５７を介して紙幣を受け入れて収納する。その後、制御部７１は、出金返却部２１のシャッタを開いて出金返却部２１から出金正常紙幣を取り出し可能にする。このとき、制御部７１は、出金返却部２１に繰り出した紙幣を管理外にする。
【０１５９】
紙幣処理機１１は、バラ出金処理時に出金返却部２１に出金不可と識別された出金リジェクト紙幣を収納する部位が、カセット５１の下部の収納領域部５８以外には設けられていない。
【０１６０】
［束紙幣出金処理］
図１６の太線は、操作表示部７０へ入力された束紙幣出金操作に基づいて、収納庫４１（Ａ）〜４１（Ｃ）の指定された金種のものから紙幣を結束して出金する束紙幣出金処理の紙幣搬送ルートを示している。
【０１６１】
つまり、束紙幣出金処理において、制御部７１は、カセット５１について、セパレータ５３を開作動させた後、カセット５１のエレベータ５４を上昇させて、直収納受入状態とし、エレベータ５４上に、取込繰出部５２からの紙幣を受け入れ可能な状態とする。それとともに、取込繰出部５２および搬送部６１を駆動する。そして、入力された金種別の出金束数に基づき、収納庫４１（Ａ）の収納領域部４８に収納している第１種の紙幣を結束して出金する場合、収納庫４１（Ａ）について、セパレータ４３を開作動させた後、収納庫４１（Ａ）のエレベータ４４を上昇させて、収納紙幣繰出状態とし、このエレベータ４４に載置された紙幣のうち、最上位置の紙幣を収納庫４１（Ａ）の取込繰出部４２の蹴出ローラ４２ａに当接させる。それとともに、この取込繰出部４２を駆動して、収納庫４１（Ａ）のエレベータ４４に載置された紙幣を最上位置のものから一枚ずつに分離しつつ所定の間隔をあけて繰り出すことになる。
【０１６２】
そして、繰り出した紙幣を、図１６に太実線で示すように、搬送路６１Ｃ，６１Ａで識別部３１に搬送し、識別部３１の識別結果に基づいて、金種識別不良のない第１種の紙幣で搬送異常のない結束正常紙幣を、表裏反転が必要でないものは、搬送路６１Ａ，６１Ｌ，６１Ｐで整列部３５に、表裏反転が必要なものは、搬送路６１Ａから搬送路６１Ｎを介して表裏反転部６３で表裏反転させた後、搬送路６１Ｍ，６１Ｌ，６１Ｐで整列部３５に、それぞれ搬送する。これにより、指定された第１種の結束正常紙幣を結束単位枚数だけ整列部３５に繰り出す。
【０１６３】
なお、結束正常紙幣以外の、搬送異常の紙幣と、金種識別不良を含む結束対象種以外の紙幣とからなる結束リジェクト紙幣については、図１６に太実線から太破線で示すように、搬送路６１Ａ，６１Ｇ，６１Ａによってカセット５１に搬送する。これにより、カセット５１が、その取込繰出部５２によって、結束リジェクト紙幣を、エレベータ５４上に集積させることになる。その際に、制御部７１は、カセット５１の紙幣の収納量を監視しており、エレベータ５４を紙幣の収納量に応じた量下降させることになる。そして、指定された第１種の結束単位枚数の紙幣を整列部３５から、昇降搬送部３７で搬送して、結束部３８で結束を行い、束出金部３９に繰り出す。このとき、制御部７１は、束出金部３９に束紙幣として繰り出した紙幣を管理外にする。結束リジェクト紙幣も、紙幣処理機１１の管理下での移動時に発生した管理下リジェクト紙幣である。
【０１６４】
ここで、指定された第１種の出金正常紙幣を結束単位枚数だけ整列部３５に繰り出すと、この金種の出金束数が複数である場合、引き続き、収納庫４１（Ａ）の収納領域部４８から紙幣を繰り出すことになり、反転が必要でない結束正常紙幣を、搬送路６１Ａ，６１Ｌ，６１Ｑで整列部３６に、表裏反転が必要な結束正常紙幣を、搬送路６１Ａから搬送路６１Ｎを介して表裏反転部６３で表裏反転させた後、搬送路６１Ｍ，６１Ｌ，６１Ｑで整列部３６に、結束リジェクト紙幣を、搬送路６１Ａ，６１Ｇ，６１Ａによって収納領域部５８に、それぞれ搬送する。これにより、指定された第１種の結束正常紙幣を結束単位枚数だけ整列部３６に繰り出して、上記と同様に、結束部３８で結束を行い、束出金部３９に繰り出す。このように束紙幣出金処理では、単一金種を複数束出金する場合、整列部３５，３６に結束単位枚数ずつ交互に紙幣を集積させる。
【０１６５】
束紙幣出金処理では、以上のような処理を、指定された金種毎に指定された束数分行うことになり、指定された全金種のそれぞれについて、指定された全束数の束紙幣を束出金部３９に繰り出すことになる。そして、制御部７１は、収納庫４１（Ａ）〜４１（Ｃ）およびカセット５１を待機状態に戻す。すなわち、この場合も、カセット５１の収納領域部５８は、上方の、セパレータ５３が開かれた状態の一時貯留領域部５７を介して紙幣を受け入れて収納する。その後、束出金部３９のシャッタを開いて束出金部３９から束紙幣を取り出し可能にする。
【０１６６】
紙幣処理機１１は、バラ出金処理時に整列部３５，３６に集積不可と識別された結束リジェクト紙幣を収納する部位が、カセット５１の下部の収納領域部５８以外には設けられていない。
【０１６７】
［束収納処理］
上記した束紙幣出金処理と同様にして、結束部３８で結束を行うことになるが、結束した束紙幣を束出金部３９に繰り出さずに図示略の束収納部に収納する。
【０１６８】
［ローカル整理処理］  
図１７の太線は、機外から入金部２０に投入された紙幣を搬送しつつ識別および計数して結束するローカル整理処理の紙幣搬送ルートを示している。つまり、操作表示部７０にローカル整理処理の選択操作がなされると、制御部７１は、ローカル整理処理を開始して入金繰出部２４、搬送部６１を駆動する。すると、入金繰出部２４は、入金部２０に投入された紙幣を最下のものから順に、一枚ずつに分離しつつ所定の間隔をあけて繰り出すことになり、繰り出した紙幣を、搬送路６１Ａ，６１Ｊ，６１Ｇ，６１Ｈ，６１Ａで識別部３１に搬送し、識別部３１で識別する。
【０１６９】
そして、識別部３１の識別結果から、結束対象種の、搬送異常および金種識別不良のない結束正常紙幣を、表裏反転が必要でないものについては搬送路６１Ａ，６１Ｌ，６１Ｐで整列部３５に、表裏反転が必要なものについては搬送路６１Ａから搬送路６１Ｎを介して表裏反転部６３で表裏反転させた後、搬送路６１Ｍ，６１Ｌ，６１Ｐで整列部３５に、それぞれ搬送する。これにより、指定された単一金種の結束正常紙幣を結束単位枚数だけ整列部３５に繰り出す。なお、識別部３１の識別結果から、搬送異常の紙幣と、金種識別不良を含む結束対象種以外の紙幣とについては、結束リジェクト紙幣として、図１７に太実線から太破線で示すように、搬送路６１Ａ，６１Ｌによって出金返却部２１に繰り出す。指定された単一金種の結束単位枚数の結束正常紙幣を整列部３５から、昇降搬送部３７で搬送して、結束部３８で結束を行い、束出金部３９に繰り出す。なお、結束対象として指定される金種は、ローカル整理処理の選択操作時に手動入力される場合と、ローカル整理処理の実行で最初に識別部３１が識別した金種に自動設定される場合とがある。
【０１７０】
指定された単一金種の結束正常紙幣を結束単位枚数だけ整列部３５に繰り出すと、指定された出金束数が複数である場合、引き続き、入金部２０から紙幣を繰り出すことになり、反転が必要でない結束正常紙幣を、搬送路６１Ａ，６１Ｌ，６１Ｑで整列部３６に、表裏反転が必要な結束正常紙幣を、搬送路６１Ａから搬送路６１Ｎを介して表裏反転部６３で表裏反転させた後、搬送路６１Ｍ，６１Ｌ，６１Ｑで整列部３６に、それぞれ搬送する。これにより、指定された単一金種の結束正常紙幣を結束単位枚数だけ整列部３６に繰り出して、上記と同様に、結束部３８で結束を行い、束出金部３９に繰り出す。このようにローカル整理処理でも、単一金種を複数束出金する場合、整列部３５，３６に結束単位枚数ずつ交互に結束正常紙幣を集積させる。ローカル整理処理の最後に、制御部７１は、束出金部３９および出金返却部２１のシャッタを開いて束出金部３９および出金返却部２１から束紙幣および結束リジェクト紙幣を取り出し可能にする。
【０１７１】
［回収処理］
図１８の太線は、操作表示部７０へ入力された回収操作に基づいて、収納庫４１（Ａ）〜４１（Ｄ）の指定されたものから紙幣を回収する回収処理の紙幣搬送ルートを示している。つまり、回収処理において、制御部７１は、収納庫４１（Ａ）の収納領域部４８に収納している第１種の紙幣を回収する場合、空のカセット５１への交換を確認したことを条件に、収納庫４１（Ａ）について、待機位置のセパレータ４３を開作動させた後、収納庫４１（Ａ）のエレベータ４４を上昇させて、このエレベータ４４に載置された紙幣のうち、最上位置の紙幣を収納庫４１（Ａ）の取込繰出部４２の蹴出ローラ４２ａに当接させる収納紙幣繰出状態とする。また、カセット５１について、セパレータ５３を開作動させた後、エレベータ５４を上昇させて、このエレベータ４４に紙幣を受け入れ可能な直収納受入状態とする。
【０１７２】
それとともに、搬送部６１と、取込繰出部４２と、取込繰出部５２とを駆動して、収納庫４１（Ａ）のエレベータ４４に載置された紙幣を最上位置のものから一枚ずつに分離しつつ所定の間隔をあけて繰り出し、図１８に太実線で示すように、搬送路６１Ｃ，６１Ａで識別部３１に搬送し、識別部３１の識別結果に基づいて、搬送異常および金種識別不良のない回収正常紙幣は搬送路６１Ａ，６１Ｇ，６１Ａでカセット５１に搬送する。なお、回収正常紙幣以外の、識別部３１で搬送異常と識別したり金種識別不良と識別した回収リジェクト紙幣については、図１８に太実線から太破線で示すように、搬送路６１Ａ，６１Ｌによって出金返却部２１に搬送し、出金返却部２１に一時貯留する。回収リジェクト紙幣も、紙幣処理機１１の管理下での移動時に発生した管理下リジェクト紙幣である。
【０１７３】
また、回収処理において、収納庫４１（Ｂ）の収納領域部４８に収納している第２種の紙幣を回収する場合、制御部７１は、同様にして、収納庫４１（Ｂ）を収納紙幣繰出状態として、収納庫４１（Ｂ）のエレベータ４４に載置された紙幣を最上位置の紙幣から順に取込繰出部４２で繰り出させることになり、そのうちの回収正常紙幣を搬送路６１Ｄ，６１Ａ，６１Ｇ，６１Ａで、直収納受入状態のカセット５１に搬送する。
【０１７４】
また、回収処理において、収納庫４１（Ｃ）の収納領域部４８に収納している第３種の紙幣を回収する場合、制御部７１は、同様にして、収納庫４１（Ｃ）を収納紙幣繰出状態として、収納庫４１（Ｃ）のエレベータ４４に載置された紙幣を最上位置の紙幣から順に取込繰出部４２で繰り出させることになり、そのうちの回収正常紙幣を搬送路６１Ｅ，６１Ａ，６１Ｇ，６１Ａで、直収納受入状態のカセット５１に搬送する。
【０１７５】
また、回収処理において、収納庫４１（Ｄ）の収納領域部４８に収納している第４種の紙幣を回収する場合、制御部７１は、同様にして、収納庫４１（Ｄ）を収納紙幣繰出状態として、収納庫４１（Ｄ）のエレベータ４４に載置された紙幣を最上位置の紙幣から順に取込繰出部４２で繰り出させることになり、そのうちの回収正常紙幣を搬送路６１Ｆ，６１Ａ，６１Ｇ，６１Ａで、直収納受入状態のカセット５１に搬送する。
【０１７６】
回収処理では、以上のような処理を指定された一または複数種について行うことになり、これにより、識別部３１で識別および計数済みの紙幣のみをカセット５１に収納する。回収対象の紙幣を在り高を把握した状態で収納したカセット５１が、機体１０から取り外されて運搬される。なお、出金返却部２１に一時貯留された回収リジェクト紙幣は、例えば、許可された管理者がシャッタを開いて取り出すことになる。回収リジェクト紙幣を機外に取り出さずに、紙幣処理機１１の使用を継続したい場合には、紙幣処理機１１での管理下での移動時に発生した管理下リジェクト紙幣を収納領域部５８に収納するカセット５１への交換を確認したことを条件に、このカセット５１について、セパレータ５３を開状態とし、エレベータ５４を上昇させて、直収納受入状態とし、図１９に太実線で示すように、出金返却部２１に一時貯留された回収リジェクト紙幣を、搬送路６１Ｌ，６１Ａで、エレベータ５４上に集積させる。その後、カセット５１を待機状態にする。
【０１７７】
［補充処理］
補充用の紙幣が機外で装填された状態で機体１０にセットされたカセット５１の収納領域部５８の紙幣を、収納庫４１（Ａ）〜４１（Ｄ）のそれぞれの収納領域部４８に収納する補充処理では、制御部７１は、カセット５１を納紙幣繰出状態として、取込繰出部５２で収納領域部５８の紙幣を繰り出す。このようにしてカセット５１から繰り出された紙幣を、上記した収納処理と同様にして、搬送異常および金種識別不良のない第１〜第３種の補充正常紙幣は、直収納受入状態の収納庫４１（Ａ）〜４１（Ｃ）に収納し、搬送異常と識別したり金種識別不良と識別した補充リジェクト紙幣と第４種の補充正常紙幣は、収納庫４１（Ｄ）の一時貯留領域部４７に一時貯留する。このように収納庫４１（Ｄ）の一時貯留領域部４７に一時貯留した紙幣をカセット５１の一時貯留領域部５７に戻し、第４種の補充正常紙幣を直収納受入状態の収納庫４１（Ｄ）に収納し、補充リジェクト紙幣を待機状態の収納庫４１（Ａ）の一時貯留領域部４７に一時貯留する。このように収納庫４１（Ａ）の一時貯留領域部４７に一時貯留した補充リジェクト紙幣を、直収納受入状態のカセット５１の収納領域部５８に収納する。補充リジェクト紙幣も、紙幣処理機１１の管理下での移動時に発生した管理下リジェクト紙幣である。
【０１７８】
［精査処理］
精査処理は、収納庫４１（Ａ）〜４１（Ｄ）に収納されている紙幣の在り高を確定する処理である。精査処理は、収納庫４１（Ａ）〜４１（Ｄ）のそれぞれについて個別に行われる。ここでは、一例として、精査対象を第１種の収納庫４１（Ａ）とし、収納庫４１（Ａ）の紙幣の在り高を確定する精査処理について説明する。図２０の太線は、操作表示部７０へ入力された精査操作に基づいて、収納庫４１（Ａ）の紙幣在り高を確定する精査処理の往路ルートを示している。
【０１７９】
精査処理において、制御部７１は、まず、カセット５１のセパレータ５３を待機状態としたまま、精査対象の収納庫４１（Ａ）について、セパレータ４３を開状態とし、エレベータ４４を上昇させ、このエレベータ４４上の最上位置の紙幣を取込繰出部４２の蹴出ローラ４２ａに当接させて収納紙幣繰出状態とする。それとともに、制御部７１は、搬送部６１を駆動し、収納庫４１（Ａ）の取込繰出部４２とカセット５１の取込繰出部５２とを駆動する。
【０１８０】
すると、収納庫４１（Ａ）の取込繰出部４２が、収納庫４１（Ａ）のエレベータ４４上の紙幣を最上位置のものから一枚ずつに分離しつつ所定の間隔をあけて繰り出すことになり、繰り出した紙幣を、図２０に太実線で示すように、搬送路６１Ｃ，６１Ａ，６１Ｇ，６１Ａで、カセット５１の一時貯留領域部５７に搬送する。これにより、カセット５１が、その取込繰出部５２によって、一時貯留領域部５７の閉状態で待機位置にあるセパレータ５３上に紙幣を集積させることになる。その際に、制御部７１は、カセット５１の一時貯留領域部５７の紙幣の貯留量を監視しており、セパレータ５３を閉状態のまま紙幣の貯留量に応じた量下降させることになる。
【０１８１】
このようにして、収納庫４１（Ａ）の紙幣がなくなり、収納庫４１（Ａ）の収納領域部４８に収納していたすべての紙幣を、カセット５１の一時貯留領域部５７に一時貯留させると、制御部７１は、収納処理と同様に、第１処理として、収納庫４１（Ａ）〜４１（Ｄ）のうち、精査対象である収納庫４１（Ａ）以外の、収納庫４１（Ｂ）〜４１（Ｄ）のいずれか一つの一時貯留領域部４７を、搬送異常あるいは金種識別不良と識別された精査リジェクト紙幣の一時貯留先として設定する。精査リジェクト紙幣も、紙幣処理機１１の管理下での移動時に発生した管理下リジェクト紙幣である。ここでは、上記と同様に、収納庫４１（Ｄ）の一時貯留領域部４７を精査リジェクト紙幣の一時貯留先として設定する。この精査リジェクト紙幣の一時貯留先として設定された収納庫４１（Ｄ）については、取込繰出部４２から繰り出される紙幣を閉状態のセパレータ４３上に受け入れ可能な待機状態のままとし、残りの収納庫４１（Ａ）〜４１（Ｃ）については、セパレータ４３を開状態とし、エレベータ４４を、このエレベータ４４上に、取込繰出部４２から繰り出される紙幣を受け入れて集積可能な位置に位置させる。
【０１８２】
そして、制御部７１は、カセット５１について、セパレータ５３を上昇させて、このセパレータ５３上の最上位置の紙幣を取込繰出部５２の蹴出ローラ５２ａに当接させる貯留紙幣繰出状態とする。それとともに、制御部７１は、搬送部６１を駆動し、カセット５１の取込繰出部５２と収納庫４１（Ａ）〜４１（Ｄ）の取込繰出部４２とを駆動する。
【０１８３】
すると、カセット５１の取込繰出部５２が、カセット５１のセパレータ５３上に載置されている紙幣を最上位置のものから一枚ずつに分離しつつ所定の間隔をあけて繰り出して、図３に太実線で示すように、搬送路６１Ａ，６１Ｇ，６１Ａで識別部３１に搬送することになり、識別部３１の識別結果に基づいて、精査リジェクト紙幣以外の、搬送異常および金種識別不良のない精査正常紙幣のうち、第１種の精査正常紙幣を、搬送路６１Ａ，６１Ｃで、収納庫４１（Ａ）に搬送する。これにより、収納庫４１（Ａ）が、その取込繰出部４２によって、紙幣を、そのエレベータ４４上に集積させることになる。
【０１８４】
また、第２種の精査正常紙幣は、搬送路６１Ａ，６１Ｇ，６１Ａ，６１Ｄで、収納庫４１（Ｂ）に搬送し、そのエレベータ４４上に集積させることになる。また、第３種の精査正常紙幣は、搬送路６１Ａ，６１Ｇ，６１Ａ，６１Ｅで、収納庫４１（Ｃ）に搬送し、そのエレベータ４４上に集積させることになる。また、第１〜第３種以外の第４種の精査正常紙幣は、搬送路６１Ａ，６１Ｇ，６１Ａ，６１Ｆで、収納庫４１（Ｄ）に搬送し、その一時貯留領域部４７の閉状態のセパレータ４３上に集積させることになる。また、第１〜第４種の精査正常紙幣以外の精査リジェクト紙幣は、搬送路６１Ａ，６１Ｇ，６１Ａ，６１Ｆで、収納庫４１（Ｄ）に搬送し、その一時貯留領域部４７の閉状態のセパレータ４３上に、第４種の精査正常紙幣と混合で集積させることになる。
【０１８５】
以上の際に、制御部７１は、収納庫４１（Ａ）〜４１（Ｃ）のそれぞれの紙幣の収納量を監視しており、それぞれのエレベータ４４を紙幣の収納量に応じた量下降させることになる。また、収納庫４１（Ｄ）の一時貯留領域部４７の紙幣の貯留量を監視しており、そのセパレータ４３を紙幣の貯留量に応じた量下降させることになる。
【０１８６】
このようにして、カセット５１の一時貯留領域部５７の紙幣がなくなり、一時貯留領域部５７に一時貯留していたすべての紙幣を、収納庫４１（Ａ）〜４１（Ｃ）の収納領域部４８あるいは収納庫４１（Ｄ）の一時貯留領域部４７に搬送すると、制御部７１は、カセット５１を待機状態に戻す。それとともに、制御部７１は、識別部３１で識別した紙幣の内訳から、収納庫４１（Ｄ）の一時貯留領域部４７に搬送された紙幣がなければ、収納庫４１（Ａ）〜４１（Ｃ）を待機状態として、収納庫４１（Ａ）に対する精査処理を終了する。
【０１８７】
他方、識別部３１で識別した紙幣の内訳から、収納庫４１（Ｄ）の一時貯留領域部４７に搬送された紙幣があれば、制御部７１は、上記と同様に収納庫４１（Ａ）〜４１（Ｃ）を待機状態に戻すのと並行して、収納庫４１（Ｄ）の一時貯留領域部４７に一時貯留されている紙幣の内訳に応じて、精査リジェクト紙幣がなければ収納処理と同様の第２処理を行って第４種の精査正常紙幣を収納庫４１（Ｄ）のエレベータ４４上に集積させ、精査リジェクト紙幣があれば収納処理と同様の第３処理を行って、第４種の精査正常紙幣を収納庫４１（Ｄ）の収納領域部４８のエレベータ４４上に集積させ、精査リジェクト紙幣を、例えば収納庫４１（Ｂ）の一時貯留領域部４７に一時貯留させて、その後、収納庫４１（Ｂ）の一時貯留領域部４７の精査リジェクト紙幣を、カセット５１の収納領域部５８のエレベータ５４上に集積させることになる。この場合も、収納庫４１（Ｄ）の一時貯留領域部４７に一時貯留されている紙幣が、カセット５１の収納領域部５８に収納すべき精査リジェクト紙幣のみである場合、収納処理と同様の第４処理を行って、収納庫４１（Ｄ）の一時貯留領域部４７の精査リジェクト紙幣をカセット５１の収納領域部５８のエレベータ５４上に集積させることが可能である。
【０１８８】
ここで、精査処理前に、精査対象の第１種収納用の収納庫４１（Ａ）に他の第２〜第４種の紙幣が混入している可能性は低く、よって、収納庫４１（Ｂ）〜４１（Ｄ）に、精査対象以外の精査正常紙幣が搬送されることは非常に少ない。このため、精査対象の第１種の精査正常紙幣以外の紙幣については、すべて、精査対象の収納庫４１（Ａ）以外の、例えばカセット５１への搬送距離が最も短い収納庫４１（Ｂ）の一時貯留領域部４７の閉状態のセパレータ４３上に貯留するようにしても良い。この場合、このように収納庫４１（Ｂ）のセパレータ４３上に載置された、第１種の精査正常紙幣以外の紙幣については、収納処理と同様の第４処理を行って、カセット５１のエレベータ５４上に集積させて収納領域部５８に収納することになる。
【０１８９】
以上に述べた本実施形態によれば、入金処理時に入金部２０に機外から投入された紙幣は、入金部２０から繰り出され、識別部３１で識別される。そして、識別部３１で受け入れ可能と識別された紙幣は金種混合で、カセット５１の一時貯留領域部５７に一時貯留されることになる。その後の収納処理時には、カセット５１の一時貯留領域部５７から繰り出された紙幣を識別部３１の識別結果に基づいて複数の収納庫４１（Ａ）〜４１（Ｄ）の収納領域部４８に収納することになる。
【０１９０】
このように入金処理時に紙幣を金種混合で繰り出し可能に一時貯留するカセット５１の一時貯留領域部５７について、その底部を、開閉可能なセパレータ５３とし、このセパレータ５３の下方に、このセパレータ５３が開かれた状態で、この一時貯留領域部５７を介して紙幣を受け入れて収納する収納領域部５８を設けている。よって、この収納領域部５８を別途の位置に設ける場合と比べて機体１０の小型化が可能となる。
【０１９１】
ここで、収納処理時に、カセット５１の一時貯留領域部５７から繰り出された紙幣を識別部３１の識別結果に基づいて複数の収納庫４１（Ａ）〜４１（Ｄ）の収納領域部４８に振り分けることになるが、その際に、カセット５１の一時貯留領域部５７から繰り出された紙幣のうち、識別部３１で複数の収納庫４１（Ａ）〜４１（Ｄ）の収納領域部４８に収納不可と識別された紙幣を、複数の収納庫４１（Ａ）〜４１（Ｄ）の収納領域部４８のうちの所定の一つである収納庫４１（Ｄ）の収納領域部４８の上方のセパレータ４３が閉状態の一時貯留領域部４７に、収納庫４１（Ｄ）の収納領域部４８に収納すべき紙幣とともに一時貯留する。そして、カセット５１の一時貯留領域部５７の紙幣がなくなると、収納庫４１（Ｄ）の一時貯留領域部４７に一時貯留されている紙幣をカセット５１の一時貯留領域部５７に戻し、カセット５１の一時貯留領域部５７に戻された紙幣のうち、収納庫４１（Ｄ）の収納領域部４８に収納すべき紙幣を収納庫４１（Ｄ）の収納領域部４８に収納する一方、複数の収納庫４１（Ａ）〜４１（Ｄ）の収納領域部４８に収納不可と識別された紙幣を収納庫４１（Ｄ）の収納領域部４８以外の、所定の収納庫４１（Ａ）の収納領域部４８の上方の、底部であるセパレータ４３が閉状態の一時貯留領域部４７に一時貯留する。その後、収納庫４１（Ａ）の一時貯留領域部４７に一時貯留された紙幣を、カセット５１のセパレータ５３が開状態の一時貯留領域部５７を介してその下方の収納領域部５８に収納する。
【０１９２】
このようにして、カセット５１の収納領域部５８に、収納処理時にカセット５１の一時貯留領域部５７から繰り出された紙幣のうち、識別部３１で複数の収納庫４１（Ａ）〜４１（Ｄ）の収納領域部４８に収納不可と識別された紙幣を収納することができる。よって、収納処理時に、識別部３１で複数の収納庫４１（Ａ）〜４１（Ｄ）の収納領域部４８に収納不可と識別された紙幣を収納する部位を、別途の位置に設ける場合と比べて機体１０の小型化が可能となる。言い換えれば、カセット５１の一時貯留領域部５７の底部のセパレータ５３の下方に、このセパレータ５３で仕切って収納領域部５８を設け、この収納領域部５８を、収納処理、出金処理および精査処理等において生じた管理下リジェクト紙幣の収納場所として利用するため、一時貯留領域部５７の下方の領域を活用できる。
【０１９３】
また、収納処理時に、複数の収納庫４１（Ａ）〜４１（Ｄ）の収納領域部４８に収納不可と識別された紙幣を一時貯留する所定の収納庫４１の一時貯留領域部４７の下方の収納領域部４８が、一連の入金処理時の識別部３１の識別結果から割り出される、収納処理時において収納のため搬送される紙幣量が最も少ない、例えば収納庫４１（Ｄ）の収納領域部４８となる。このため、収納処理時に、識別部３１で複数の収納庫４１（Ａ）〜４１（Ｄ）の収納領域部４８に収納不可と識別された紙幣を、収納のため搬送される紙幣量が最も少ない収納庫４１（Ｄ）の収納領域部４８の上方の、セパレータ４３が閉状態の一時貯留領域部４７に、収納庫４１（Ｄ）の収納領域部４８に収納すべき搬送量が最も少ない紙幣とともに一時貯留する。そして、この一時貯留領域部４７に一時貯留されている紙幣をカセット５１の一時貯留領域部５７に戻し、この一時貯留領域部５７に戻された紙幣のうち、収納庫４１（Ｄ）の収納領域部４８に収納すべき搬送量が最も少ない紙幣を収納庫４１（Ｄ）の収納領域部４８に収納する一方、複数の収納庫４１（Ａ）〜４１（Ｄ）の収納領域部４８に収納不可と識別された紙幣を収納庫４１（Ｄ）の収納領域部４８以外の収納領域部４８の上方の、例えば収納庫４１（Ａ）のセパレータ４３が閉状態の一時貯留領域部４７に一時貯留する。この作動に要する時間を短縮できる。
【０１９４】
また、収納処理時に、複数の収納庫４１（Ａ）〜４１（Ｄ）の収納領域部４８に収納不可と識別された紙幣を収納する部位が、カセット５１の収納領域部５８以外には設けられていないため、機体１０を小型化できる。
【０１９５】
また、収納処理時に、複数の収納庫４１（Ａ）〜４１（Ｄ）の収納領域部４８に収納不可と識別された紙幣を、一旦、所定の収納庫４１（Ｄ）の収納領域部４８の上方のセパレータ４３が閉状態の一時貯留領域部４７に、収納庫４１（Ｄ）の収納領域部４８に収納すべき紙幣とともに一時貯留することになるが、収納庫４１（Ｄ）のセパレータ４３が閉状態の一時貯留領域部４７から紙幣を繰り出してカセット５１の一時貯留領域部５７に戻し、再度、カセット５１の一時貯留領域部５７から繰り出して識別部３１で識別する。このように、複数の収納庫４１（Ａ）〜４１（Ｄ）の収納領域部４８に収納不可と一旦識別された紙幣を、カセット５１の一時貯留領域部５７から繰り出す際に、識別部３１で、再度識別することができる。
【０１９６】
なお、実施形態では、紙幣処理機１１が束出金部３９を有する構成について述べたが、束出金部３９に替えて、紙幣処理機１１の側方（具体的には右側）に並接して設置される図示略の束紙幣入出金機へ水平に搬送する横搬送部が設けられている構成であっても良い。この場合、紙幣処理機１１の結束部３８で作成された束紙幣は、紙幣処理機１１の横搬送部によって図示略の束紙幣入出金機へ搬送された後、束紙幣入出金機側に設けられた図示略の束出金部を介して束紙幣入出金機の機外へ取り出しが可能となり、また束紙幣入出金機側に設けられた図示略の束収納部へ収納可能となる。
【符号の説明】
【０１９７】
１１  紙幣処理機
２０  入金部
３１  識別部
４３，５３  セパレータ（底部）
４７  一時貯留領域部
４８  収納領域部（収納部）
５７  一時貯留領域部（一時貯留部）
５８  収納領域部
【図１】
2019220064.tif 000003
【図２】
2019220064.tif 000004
【図３】
2019220064.tif 000005
【図４】
2019220064.tif 000006
【図５】
2019220064.tif 000007
【図６】
2019220064.tif 000008
【図７】
2019220064.tif 000009
【図８】
2019220064.tif 000010
【図９】
2019220064.tif 000011
【図１０】
2019220064.tif 000012
【図１１】
2019220064.tif 000013
【図１２】
2019220064.tif 000014
【図１３】
2019220064.tif 000015
【図１４】
2019220064.tif 000016
【図１５】
2019220064.tif 000017
【図１６】
2019220064.tif 000018
【図１７】
2019220064.tif 000019
【図１８】
2019220064.tif 000020
【図１９】
2019220064.tif 000021
【図２０】
2019220064.tif 000022